(57)【要約】  性能を改善できる可能性がある送信装置である機器（１０００）は、光源（１０４）と、入力信号に基づいて変調信号を生成し、その変調信号に応じて光源（１０４）の輝度を変化させることによって、光源（１０４）から変調信号を可視光として送信する送信部（１０２）とを備え、送信部（１０２）は、無線ＬＡＮ（Local Area Network）のそれぞれ互いに異なる複数のアクセスポイントのＳＳＩＤ（service set identifier）に関する情報を、その変調信号に含めて光源（１０４）から送信する。
2018070366.tif 000002
【特許請求の範囲】
【請求項１】
光源と、
入力信号に基づいて変調信号を生成し、前記変調信号に応じて前記光源の輝度を変化させることによって、前記光源から前記変調信号を可視光として送信する送信部とを備え、
前記変調信号は、
無線ＬＡＮ（Local Area Network）のそれぞれ互いに異なる複数のアクセスポイントのＳＳＩＤ（service set identifier）に関する情報を含む
送信装置。
【請求項２】
前記変調信号は、
前記複数のアクセスポイントのそれぞれに対応する、１以上のフレームからなるフレーム群を含み、
前記フレーム群に含まれる前記１以上のフレームのそれぞれは、当該フレーム群に対応する同一のアクセスポイントのＳＳＩＤに関する情報を含む
請求項１に記載の送信装置。
【請求項３】
前記フレーム群の送信にかかる時間は、前記変調信号を受信する受信装置による動画または静止画の１フレーム分の撮像にかかる時間よりも長い
請求項２に記載の送信装置。
【請求項４】
前記変調信号は、
前記複数のアクセスポイントのそれぞれに対応するフレームを含み、
前記フレームは、当該フレームに対応する同一のアクセスポイントのＳＳＩＤに関する情報を１つ以上含み、
前記フレームの送信にかかる時間は、前記変調信号を受信する受信装置による動画または静止画の１フレーム分の撮像にかかる時間よりも長い
請求項１に記載の送信装置。
【請求項５】
前記送信部は、
前記複数のアクセスポイントのそれぞれに対応するフレーム群を、時間軸方向または周波数軸方向においてランダムな順序で送信する
請求項２または３に記載の送信装置。
【請求項６】
前記送信部は
前記複数のアクセスポイントのそれぞれに対応するフレーム群を、時間軸方向または周波数軸方向において規則的な順序で送信する
請求項２または３に記載の送信装置。
【請求項７】
送信装置から可視光として送信される変調信号を受光する受光部と、
前記変調信号に基づくデータを解析することによって解析情報を出力するデータ解析部と、
前記解析情報に基づいて、無線ＬＡＮ（Local Area Network）のアクセスポイントに電波を用いて接続する無線部とを備え、
前記変調信号は、
前記無線ＬＡＮのそれぞれ互いに異なる複数のアクセスポイントのＳＳＩＤ（service set identifier）に関する情報を含み、
前記データ解析部は、
前記変調信号に含まれる複数のアクセスポイントのＳＳＩＤに関する情報から、何れか１つのＳＳＩＤに関する情報を選択し、
選択された前記ＳＳＩＤに関する情報を前記解析情報として出力し、
前記無線部は、
前記複数のアクセスポイントのうち、前記データ解析部から出力された前記ＳＳＩＤに関する情報に対応するアクセスポイントに、電波を用いて接続する
受信装置。
【請求項８】
前記変調信号は、
前記複数のアクセスポイントのそれぞれに対応する、１以上のフレームからなるフレーム群を含み、
前記フレーム群に含まれる１以上のフレームのそれぞれは、当該フレーム群に対応する同一のアクセスポイントのＳＳＩＤに関する情報を含む
請求項７に記載の受信装置。
【請求項９】
前記受光部による前記フレーム群の受光にかかる時間は、前記受光部による動画または静止画の１フレーム分の撮像にかかる時間よりも長い
請求項８に記載の受信装置。
【請求項１０】
前記変調信号は、
前記複数のアクセスポイントのそれぞれに対応するフレームを含み、
前記フレームは、当該フレームに対応する同一のアクセスポイントのＳＳＩＤに関する情報を１つ以上含み、
前記受光部による前記フレームの受光にかかる時間は、前記受光部による動画または静止画の１フレーム分の撮像にかかる時間よりも長い
請求項７に記載の受信装置。
【請求項１１】
前記受光部は、
前記複数のアクセスポイントのそれぞれに対応するフレーム群を、時間軸方向または周波数軸方向においてランダムな順序で受光する
請求項７または８に記載の受信装置。
【請求項１２】
前記受光部は、
前記複数のアクセスポイントのそれぞれに対応するフレーム群を、時間軸方向または周波数軸方向において規則的な順序で受光する
請求項７または８に記載の受信装置。
【請求項１３】
送信装置と、
無線ＬＡＮ（Local Area Network）のそれぞれ互いに異なる複数のアクセスポイントとを備え、
前記送信装置は、
光源と、
入力信号に基づいて変調信号を生成し、前記変調信号に応じて前記光源の輝度を変化させることによって、前記光源から前記変調信号を可視光として送信する送信部とを備え、
前記変調信号は、
前記複数のアクセスポイントのＳＳＩＤ（service set identifier）に関する情報を含み、
前記複数のアクセスポイントのうちの少なくとも１つは、
前記変調信号を受信した受信装置に電波を用いて接続し、前記受信装置に情報を送信する
通信システム。
【請求項１４】
入力信号に基づいて変調信号を生成し、
前記変調信号に応じて光源の輝度を変化させることによって、前記光源から前記変調信号を可視光として送信し、
前記変調信号は、
無線ＬＡＮ（Local Area Network）のそれぞれ互いに異なる複数のアクセスポイントのＳＳＩＤ（service set identifier）に関する情報を含む
送信方法。
【請求項１５】
送信装置から可視光として送信される変調信号を受光し、
前記変調信号に基づくデータを解析することによって解析情報を出力し、
前記解析情報に基づいて、無線ＬＡＮ（Local Area Network）のアクセスポイントに電波を用いて接続し、
前記変調信号は、
前記無線ＬＡＮのそれぞれ互いに異なる複数のアクセスポイントのＳＳＩＤ（service set identifier）に関する情報を含み、
前記解析情報の出力では、
前記変調信号に含まれる複数のアクセスポイントのＳＳＩＤに関する情報から、何れか１つのＳＳＩＤに関する情報を選択し、
選択された前記ＳＳＩＤに関する情報を前記解析情報として出力し、
前記無線ＬＡＮのアクセスポイントへの接続では、
前記複数のアクセスポイントのうち、解析によって出力された前記ＳＳＩＤに関する情報に対応するアクセスポイントに、電波を用いて接続する
受信方法。
【請求項１６】
入力信号に基づいて変調信号を生成し、
前記変調信号に応じて光源の輝度を変化させることによって、前記光源から前記変調信号を可視光として送信し、
前記変調信号は、
無線ＬＡＮ（Local Area Network）のそれぞれ互いに異なる複数のアクセスポイントのＳＳＩＤ（service set identifier）に関する情報を含み、
前記複数のアクセスポイントのうちの少なくとも１つは、
前記変調信号を受信した受信装置に電波を用いて接続し、前記受信装置に情報を送信する
通信方法。
【発明の詳細な説明】
【技術分野】
【０００１】
本発明は、送信装置、受信装置、通信システム、送信方法、受信方法および通信方法に関する。
【背景技術】
【０００２】
機器が、場所の情報を取得する方法として、ＧＰＳ（Global Positioning system）を用いる方法があり、機器が、衛星から送信された変調信号を受信し、測位計算を行うことで、場所を推定する。しかし、機器が、ＧＰＳ衛星が送信した電波の受信が困難な屋内にある場合、場所情報を推定することが難しいという課題がある。【０００３】
この課題を解決する方法として、例えば、非特許文献１に開示されている方法がある。この非特許文献１に示されているように、機器が、無線ＬＡＮ（Local Area Network）のアクセスポイントから送信された電波を用いて、場所を推定する方法がある。
【先行技術文献】
【非特許文献】
【０００４】
【非特許文献１】Santosh Pandey, "NGP Use Case Template" IEEE802.11-16/0137 r4, 2016-03-12
【発明の概要】
【発明が解決しようとする課題】
【０００５】
しかし、送信装置および受信装置などに関して、さらなる性能改善が要望されている。
【課題を解決するための手段】
【０００６】
本開示の一態様に係る送信装置は、光源と、入力信号に基づいて変調信号を生成し、前記変調信号に応じて前記光源の輝度を変化させることによって、前記光源から前記変調信号を可視光として送信する送信部とを備え、前記変調信号は、無線ＬＡＮ（Local Area Network）のそれぞれ互いに異なる複数のアクセスポイントのＳＳＩＤ（service set identifier）に関する情報を含む。
【発明の効果】
【０００７】
本開示によれば、通信装置および受信装置における性能を改善できる可能性がある。
【図面の簡単な説明】
【０００８】
【図１】図１は、実施の形態１における機器と端末の構成の一例を示す図である。
【図２】図２は、実施の形態１における第１の機器が送信する変調信号で伝送されるフレーム構成の一例を示す図である。
【図３】図３は、実施の形態２における複数の機器が存在する例を示す図である。
【図４】図４は、実施の形態３における機器と端末の構成の一例を示す図である。
【図５】図５は、実施の形態３における表示部の具体的な表示の例を示す図である。
【図６】図６は、実施の形態３における第１の機器が送信する変調信号のフレーム構成の一例を示す図である。
【図７】図７は、実施の形態３〜６における基地局が送信する変調信号のフレーム構成の一例を示す図である。
【図８】図８は、実施の形態３における機器、端末、および基地局が実施する処理の一例を示すフローチャートである。
【図９】図９は、実施の形態３における地図の一例を示す図である。
【図１０】図１０は、実施の形態４における通信システムの構成の一例を示す図である。
【図１１】図１１は、実施の形態４における第２の機器が送信する変調信号のフレーム構成の一例を示す図である。
【図１２】図１２は、実施の形態４における端末が具備する無線装置が送信する変調信号のフレーム構成の一例を示す図である。
【図１３】図１３は、実施の形態４における機器、端末、および基地局が実施する処理の一例を示すフローチャートである。
【図１４】図１４は、実施の形態５における機器、端末および基地局の構成の一例を示す図である。
【図１５】図１５は、実施の形態５における第３の機器が送信する変調信号のフレーム構成の一例を示す図である。
【図１６】図１６は、実施の形態５における第４の機器が送信する変調信号のフレーム構成の一例を示す図である。
【図１７】図１７は、実施の形態５における第３の機器、第４の機器、端末、および基地局が実施する処理の第１の例を示すフローチャートである。
【図１８】図１８は、実施の形態５における第３の機器、第４の機器、端末、および基地局が実施する処理の第２の例を示すフローチャートである。
【図１９】図１９は、実施の形態５における第３の機器、第４の機器、端末、および基地局が配置される空間の一例を示す図である。
【図２０】図２０は、実施の形態６における通信システムの構成の一例を示す図である。
【図２１】図２１は、実施の形態６における、ＬＥＤなどに関連する部分、端末、および基地局の無線装置が実施する処理の一例を示すフローチャートである。
【図２２】図２２は、実施の形態７における通信システムの構成の一例を示す図である。
【図２３】図２３は、実施の形態７における機器が送信する変調信号のフレームの構成の例を示す図である。
【図２４】図２４は、実施の形態７における機器が送信する変調信号の他のフレームの構成の例を示す図である。
【図２５】図２５は、実施の形態７における機器が送信する変調信号の他のフレームの構成の例を示す図である。
【図２６】図２６は、実施の形態７における機器による送信方法の例を示す図である。
【図２７】図２７は、実施の形態７における機器と基地局が配置されるエリアの一例を示す図である。
【図２８】図２８は、実施の形態７における機器、端末および基地局が実施する処理の一例を示すフローチャートである。
【図２９】図２９は、光源を具備する車の例を示す図である。
【図３０】図３０は、受光部を具備する車の例を示す図である。
【図３１】図３１は、通信方法の他の例を示す図である。
【図３２】図３２は、ラインスキャンサンプリングの一例を示す図である。
【図３３】図３３は、縞模様が現れない撮像画像の一例を示す図である。
【図３４】図３４は、縞模様が現れる撮像画像の一例を示す図である。
【図３５Ａ】図３５Ａは、４ＰＰＭの変調方式の一例を示す図である。
【図３５Ｂ】図３５Ｂは、マンチェスタ符号方式の一例を示す図である。
【発明を実施するための形態】
【０００９】
（本開示の基礎となった知見）
機器が、場所の情報を取得する方法として、ＧＰＳ（Global Positioning system）を用いる方法があり、機器が、衛星から送信された変調信号を受信し、測位計算を行うことで、場所を推定する。しかし、機器が、ＧＰＳ衛星が送信した電波の受信が困難な屋内の場合、場所情報を推定することが難しいという課題がある。
【００１０】
この課題を解決する方法として、例えば、上記非特許文献１に開示されている方法がある。この非特許文献１に示されているように、機器が、無線ＬＡＮ（Local Area Network）のアクセスポイントから送信された電波を用いて、場所を推定する方法がある。しかし、安全にアクセスできるアクセスポイントのＳＳＩＤ（service set identifier）を知ることが簡単ではないため、機器が場所情報を得ようとした際、安全でないＳＳＩＤのアクセスポイントに接続する可能性があり、情報漏えいなどの脅威がある。
【００１１】
そこで、本開示では、例えば、屋内に設置したＬＥＤ（Light Emitting Diode）などの可視光、照明、光源、ライトから、場所に関する情報を含む（光）変調信号を送信する。端末（機器）は、例えば、ＣＭＯＳ（Complementary Metal Oxide Semiconductor）、または、有機薄膜を用いた（OPF: Organic Photoconductive Film）ＣＭＯＳ（有機ＣＭＯＳ）などのイメージセンサーなどで、（光）変調信号を受信し、復調等の処理を行い、少なくとも場所に関する情報を得る。これにより、端末は、安全に、場所に関する情報を入手することができるという効果を得ることができる。
【００１２】
あるいは、本開示では、例えば、屋内に設置したＬＥＤ（Light Emitting Diode）などの可視光、照明、光源、ライトから、ＳＳＩＤに関する情報を含む（光）変調信号を送信する。端末（機器）は、例えば、ＣＭＯＳ（Complementary Metal Oxide Semiconductor）、または、有機薄膜を用いた（OPF: Organic Photoconductive Film）ＣＭＯＳ（有機ＣＭＯＳ）などのイメージセンサーなどで、（光）変調信号を受信し、復調等の処理を行い、少なくともＳＳＩＤに関する情報を得る。これにより、端末は、安全に、アクセスポイントに接続することができるという効果を得ることができる。
【００１３】
（実施の形態１）
図１は、本実施の形態における、例えば、ＬＥＤ（Light Emitting Diode）などの可視光の光源、照明、光源、ライトを具備する機器１００と端末１５０の構成の一例を示している。機器１００は、ＬＥＤ（Light Emitting Diode）などの可視光、照明、光源、ライトを具備する。なお、この機器を「第１の機器」と名づける。
【００１４】
送信部１０２は、例えば、場所に関する情報、または、位置に関する情報１０１を入力とする。また、送信部１０２は、時刻に関する情報１０５を入力としてもよい。また、送信部１０２は、場所に関する情報、または、位置に関する情報１０１と時刻に関する情報１０５の両方を入力としてもよい。
【００１５】
送信部１０２は、場所に関する情報、または、位置に関する情報１０１、および／または、時刻に関する情報１０５を入力とし、これらの入力信号に基づいて、（光）変調信号を生成し、変調信号１０３を出力する。そして、変調信号１０３は、例えば、光源１０４から送信される。
【００１６】
ここで、場所に関する情報、または、位置に関する情報１０１の例について説明する。
【００１７】
例１：
場所に関する情報、または、位置に関する情報１０１は、場所・位置の緯度、および／または、経度の情報であってもよい。例えば、「北緯４５度、東経１３５度」という情報を、場所に関する情報、または、位置に関する情報１０１としてもよい。
【００１８】
例２：
場所に関する情報、または、位置に関する情報１０１は、住所の情報であってもよい。例えば、「東京と千代田区○○町１−１−１」という情報を、場所に関する情報、または、位置に関する情報１０１としてもよい。
【００１９】
例３：
場所に関する情報、または、位置に関する情報１０１は、建物、施設などの情報であってもよい。例えば、「東京タワー」という情報を、場所に関する情報、または、位置に関する情報１０１としてもよい。
【００２０】
例４：
場所に関する情報、または、位置に関する情報１０１は、建物、施設などに設置したものの固有の場所・位置に関する情報であってもよい。
【００２１】
例えば、駐車場があったとき、自動車を停めることができるスペースが５台分あるものとする。そのとき、第１の駐車スペースをＡ−１、第２の駐車スペースをＡ−２、第３の駐車スペースをＡ−３、第４の駐車スペースをＡ−４、第５の駐車スペースをＡ−５と名づける。そして、例えば、「Ａ−３」という情報を、場所に関する情報、または、位置に関する情報１０１としてもよい。
【００２２】
このような例は、駐車場でのケースに限ったものではない。
【００２３】
例えば、コンサート施設、野球・サッカー・テニスなどのスタジアム、飛行機、空港ラウンジ、鉄道、駅、などにある、「エリア・座席・店舗・施設など」に関する情報を、場所に関する情報、または、位置に関する情報１０１としてもよい。
【００２４】
なお、場所に関する情報、または、位置に関する情報１０１の構成方法については、上述の例に限ったものではない。
【００２５】
端末１５０は、第１の機器１００が送信した変調信号を受信する。
【００２６】
受光部１５１は、例えばＣＭＯＳ、または、有機ＣＭＯＳなどのイメージセンサーである。受光部１５１は、第１の機器から出力された変調信号を含む光を受光し、受信信号１５２を出力する。そして、受信部１５３は、受信信号１５２を入力とし、受信信号に含まれる変調信号に対して復調、誤り訂正復号などの処理を行い、受信データ１５４を出力する。
【００２７】
なお、受光部１５１から出力される受信信号１５２は、イメージセンサーで取得された画像、動画の情報を含んだ信号であってもよいし、その他の光−電気変換を行う（光から電気信号に変換する）素子の出力信号であってもよい。以降の説明では、受光部１５１で行われる処理について特に説明することなく受信側の装置が変調信号を受信すると記載した場合、受信側の装置が受光部１５１で、変調信号を含んだ光から、光−電気変換を行う（光から電気信号に変換する）ことで、「画像・動画の信号」と「情報を伝送するための変調信号」を取得することを意味する。ただし、上述した方法は受信側の装置が変調信号の受信する方法の一例であり、変調信号の受信方法はこれらに限定されない。
【００２８】
データ解析部１５５は、受信データ１５４を入力とし、受信データ１５４から、例えば、端末１５０の場所・位置を推定し、少なくとも端末１５０の場所・位置情報を含む情報１５６を出力する。
【００２９】
表示部１５７は、情報１５６を入力とし、情報１５６に含まれる端末１５０の場所・位置情報から、表示部１５７に端末１５０の場所・位置に関する表示を行う。
【００３０】
図２は、第１の機器１００が送信する変調信号で伝送されるフレーム構成の一例を示している。図２において、横軸は時間である。第１の機器は、例えば、プリアンブル２０１を送信し、その後、制御情報シンボル２０２、場所情報、または、位置情報に関するシンボル２０３、時刻情報に関するシンボル２０４を送信するものとする。
【００３１】
このとき、プリアンブル２０１は、第１の機器１００が送信する変調信号を受信する端末１５０が、例えば、信号検出、時間同期、フレーム同期などを行うためのシンボルであるものとする。
【００３２】
制御情報シンボル２０２は、例えば、変調信号の構成方法、使用している誤り訂正符号化方式の方法、フレーム構成方法などのデータを含んでいるシンボルであるものとする。
【００３３】
場所情報、または、位置情報に関するシンボル２０３は、図１で示した場所に関する情報、または、位置に関する情報を含んだシンボルである。
【００３４】
そして、フレームには、シンボル２０１、２０２、２０３以外のシンボルを含んでいてもよい。例えば、図２に示すように、時刻情報に関するシンボル２０４を含んでいてもよい。時刻情報に関するシンボル２０４は、例えば、第１の機器が変調信号を送信する時刻の情報が含まれているものとする。なお、第１の機器が送信する変調信号のフレームの構成は、図２に限ったものではなく、また、変調信号に含まれるシンボルは図２の構成に限ったものではない（他のデータ・情報を含むシンボルが含まれていてもよい。）。
【００３５】
図１、図２で説明したように、第１の機器が変調信号を送信し、端末がその変調信号を受信した際の効果について説明する。
【００３６】
第１の機器は、可視光により変調信号を送信しているため、この変調信号を受信することができる端末は、第１の機器が存在している場所から大きく離れた場所ではない。したがって、第１の機器が送信した場所・位置情報を端末が得ることで、端末は、高精度な位置情報を簡単に（複雑な信号処理をしなくてもよい）得ることが可能であるという効果を得ることができる。また、第１の機器をＧＰＳからの衛星電波が受信しづらいところに設置すると、端末は、ＧＰＳの衛星からの電波が受信しづらいところでも、第１の機器が送信する変調信号を受信することで、高精度な位置情報を、安全に入手することができるという効果を得ることができる。
【００３７】
（実施の形態２）
本実施の形態では、実施の形態１で説明した第１の機器が複数台存在する場合の実施の形態について説明する。
【００３８】
本実施の形態では、例えば図３のように、図１の第１の機器１００と同様の構成を持つ第１−１の機器３０１−１が、変調信号を送信し、端末３０２が受信する。端末３０２は、第１−１の機器３０１−１が送信した変調信号を受信し、例えば、第１−１の場所・位置に関する情報、および、第１−１の時刻に関する情報を得る。
【００３９】
同様に、図１の第１の機器１００と同じ構成を持つ第１−２の機器３０１−２が、変調信号を送信し、端末３０２が受信する。端末３０２は、第１−２の機器３０１−２が送信した変調信号を受信し、例えば、第１−２の場所・位置に関する情報、および、第１−２の時刻に関する情報を得る。
【００４０】
そして、端末３０２は、第１−１の場所・位置に関する情報、および第１−２の場所・位置に関する情報から、図３における第１−１の機器３０１−１と第１−２の機器３０１−２の距離を知ることができる。そして、端末３０２は、第１−１の時刻に関する情報と、例えば、端末が第１−１の機器３０１−１が送信した変調信号を受信した時刻をもとに、端末３０２と第１−１の機器３０１−１の距離を知ることができる。同様に、端末３０２は、第１−２の時刻に関する情報と、例えば、端末３０２が第１−２の機器３０１−２が送信した変調信号を受信した時刻をもとに、端末３０２と第１−２の機器３０１−２の距離を知ることができる。
【００４１】
そして、端末３０２は、第１−１の場所・位置に関する情報から、第１−１の機器の位置がわかる。端末３０２は、第１−２の場所・位置に関する情報から、第１−２の機器の位置がわかる。端末３０２は、「第１−１の機器３０１−１と第１−２の機器３０１−２の距離」、「第１−１の機器３０１−１と端末の距離」、「第１−２の機器３０１−２と端末の距離」から、「第１−１の機器３０１−１と第１−２の機器３０１−２と端末３０２が構成する三角形」がわかる。
【００４２】
したがって、端末３０２は、「第１−１の機器の位置」、「第１−２の機器の位置」、「第１−１の機器３０１−１と第１−２の機器３０１−２と端末３０２が構成する三角形」から、端末３０２の位置を高精度に計算し、得ることができる。
【００４３】
ただし、端末３０２が、場所・位置情報を得るための測地測量方法は、上述の説明に限ったものではなく、どのような方法で測地測量を行ってもよい。例えば、測地測量方法の例としては、三角測量、多角測量、三辺測量、水準測量などがある。
【００４４】
以上のように、端末が、場所情報を送信する光源を具備する複数の機器から、上述のような情報を得ることで、端末は、高精度に位置の推定を行うことができるという効果を得ることができる。そして、実施の形態１で説明したように、場所情報を送信する光源を具備する機器をＧＰＳからの衛星電波が受信しづらいところに設置すると、端末は、ＧＰＳの衛星からの電波が受信しづらいところでも、機器が送信する変調信号を受信することで、高精度な位置情報を、安全に入手することができるという効果を得ることができるという効果も得ることができる。
【００４５】
なお、上述の例では、端末が、２台の機器が送信した変調信号を受信する例で説明しているが、端末が、２台より多くの機器が送信した変調信号を受信する場合であっても同様に実施することができる。なお、機器の台数が多いほど、端末は高精度な位置情報を算出することができるという利点がある。
【００４６】
（実施の形態３）
図４は、本実施の形態における、例えば、ＬＥＤなどの可視光の光源、照明、光源、ライトを具備する機器、端末、端末と通信を行う例えば基地局の構成の一例を示している。図４の機器４００はＬＥＤなどの可視光、照明、光源、ライトを具備する。なお、この機器を「第１の機器」と名づける。そして、図４の第１の機器４００において、図１の第１の機器１００と同様に動作するものについては、同一の符号を付している。
【００４７】
図４の端末４５０は、端末の構成を示しており、図１と同様に動作するものについては同一の符号を付している。
【００４８】
図４の第１の機器４００において、送信部１０２は、例えば、場所に関する情報、または、位置に関する情報１０１、ＳＳＩＤ（service set identifier）に関する情報４０１−１、アクセス先に関する情報４０１−２を入力とする。また、送信部１０２は、時刻に関する情報１０５を入力としてもよい。
【００４９】
送信部１０２は、場所に関する情報、または、位置に関する情報１０１、および、ＳＳＩＤに関する情報４０１−１、および、アクセス先に関する情報４０１−２、および／または、時刻に関する情報１０５を入力とし、これらの入力信号に基づいて、（光）変調信号を生成し、変調信号１０３を出力する。そして、変調信号１０３は、例えば、光源１０４から送信されることになる。
【００５０】
なお、場所に関する情報、または、位置に関する情報１０１の例については、実施の形態１で説明したので、ここでは説明を省略する。
【００５１】
次に、ＳＳＩＤに関する情報４０１−１、および、アクセス先に関する情報４０１−２について説明を行う。
【００５２】
まず、ＳＳＩＤに関する情報４０１−１について説明を行う。
【００５３】
ＳＳＩＤに関する情報４０１−１は、図４における基地局（または、ＡＰ（access point））４７０のＳＳＩＤの情報である。ここで光信号により通知されるＳＳＩＤが安全な基地局のＳＳＩＤであることが判明している場合、第１の機器４００は、端末４５０に対して安全なアクセス先である基地局４７０へのアクセスを提供することができる。これにより、図４の端末４５０が、基地局（または、ＡＰ）４７０より、安全に、情報を入手することができるという効果を得ることができる。一方、第１の機器４００は、基地局４７０に対してアクセスする端末を、第１の機器４００が送信（照射）した光信号を受信可能な空間にある端末に制限することができる。
【００５４】
なお、端末４５０は、予め定められた方式で送信された光信号を受信した場合に、通知されたＳＳＩＤが安全な基地局のＳＳＩＤであると判別してもよいし、安全であるか否かを判別する処理を実施してもよい。例えば、第１の機器４００が所定の識別子を光信号に含めて送信し、端末は受信した識別子に基づいて通知されたＳＳＩＤが安全な基地局のＳＳＩＤであるか否かを判断してもよい。また、端末４５０は安全な基地局であるか否かを判断する処理を行わず、可視光の特性を利用して、ユーザーが安全性の高い第１の機器４００を選択して、端末４５０で第１の機器４００から光信号の受信を行い、安全性の高い基地局のＳＳＩＤを取得してもよい。
【００５５】
なお、図４では、基地局（または、ＡＰ）４７０のみ示しているが、例えば、基地局（または、ＡＰ）４７０以外の基地局（または、ＡＰ）が存在する場合も、図４の端末４５０は、基地局（または、ＡＰ）４７０にアクセスし、情報を入手することになる。
【００５６】
アクセス先に関する情報４０１−２は、図４の端末４５０が、基地局（または、ＡＰ）４７０にアクセスし、その後、情報を入手するためのアクセス先に関する情報である。（なお、具体的な動作例については、後で説明する。）
【００５７】
図４の端末４５０は、第１の機器４００が送信した変調信号を受信する。なお、図４の端末４５０において、図１の端末１５０と同様に動作するものについては、同一の符号を付している。
【００５８】
端末４５０が具備する例えば、ＣＭＯＳ、または、有機ＣＭＯＳなどのイメージセンサーなど受光部１５１は、第１の機器４００が送信した変調信号を受信する。そして、受信部１５３は、受光部１５１で受信した受信信号１５２を入力とし、受信信号の復調・誤り訂正復号などの処理を行う、受信データ１５４を出力する。
【００５９】
データ解析部１５５は、受信データ１５４を入力とし、受信データ１５４から、例えば、端末の場所・位置を推定し、少なくとも端末の場所・位置情報を含む情報１５６、ＳＳＩＤに関する情報４５１、アクセス先に関する情報４５２を出力する。
【００６０】
表示部１５７は、端末の場所・位置情報を含む情報１５６、ＳＳＩＤに関する情報４５１、アクセス先に関する情報４５２を入力とし、例えば、端末の場所・位置、端末４５０が具備する無線装置４５３がアクセスする通信相手のＳＳＩＤ、アクセス先を表示する。（この表示を第１の表示と名づける。）
【００６１】
例えば、第１の表示後、図４の端末４５０が具備する無線装置４５３は、ＳＳＩＤに関する情報４５１、および、アクセス先に関する情報４５２を入力とする。そして、図４の端末４５０が具備する無線装置４５３は、ＳＳＩＤに関する情報４５１に基づき、通信を行う相手先と、例えば、電波を利用することで、接続する。なお、図４の場合、図４の端末４５０が具備する無線装置４５３は、基地局４７０と接続することになる。
【００６２】
そして、図４の端末４５０が具備する無線装置４５３は、アクセス先に関する情報４５２に基づき、アクセス先に関する情報を含んだ、データから変調信号を生成し、この変調信号を、基地局４７０に対し、例えば、電波を用いて、送信することになる。
【００６３】
図４の端末の通信相手である基地局（または、ＡＰ）４７０は、図４の端末４５０が具備する無線装置４５３が送信した変調信号を受信する。そして、基地局（または、ＡＰ）４７０は、受信した変調信号の復調、誤り訂正復号などの処理を行い、図４の端末４５０が送信したアクセス先の情報を含む受信データ４７１を出力し、このアクセス先の情報に基づいて、基地局（または、ＡＰ）４７０は、ネットワークを介し、所望のアクセス先にアクセスするとともに、例えば、アクセス先から所望の情報４７２を得る。
【００６４】
そして、基地局４７０は、所望の情報４７２を入力とし、所望の情報４７２から変調信号を生成し、この変調信号を、図４の端末４５０に対して、例えば、電波を用いて、送信することになる。
【００６５】
図４の端末４５０の無線装置４５３は、基地局４７０が送信した変調信号を受信し、復調・誤り訂正復号などの処理を行い、所望の情報４７２を得る。
【００６６】
例えば、所望の情報４７２が、地図、建物の地図・フロアーガイド、施設の地図・フロアーガイド、駐車場の地図・フロアーガイド、コンサート施設・スタジアム・飛行機・空港ラウンジ・鉄道・駅などにある「エリア・座席・店舗・施設」の情報などであるとする。
【００６７】
表示部１５７は、所望の情報４７２、少なくとも端末の場所・位置情報を含む情報１５６、ＳＳＩＤに関する情報４５１を入力とし、第１の表示後、所望の情報４７２と少なくとも端末の場所・位置情報を含む情報１５６から、地図・フロアーガイド・施設の情報・座席の情報・店舗の情報の表示上に端末の位置をマッピングした表示を行う。
【００６８】
このときの具体例を示す。図５は、表示部１５７の具体的な表示の例である。図５の表示は「３階のフロアー」であることを示している。そして、Ａ−１、Ａ−２、Ａ−３、Ａ−４、Ａ−２１、Ａ−２２、Ａ−２３、Ａ−２４は、車の駐車スペースの位置をそれぞれ示しているものとする。そして、Ｂ−１、Ｂ−２は、エレベーターの位置を示しているものとする。この地図の情報が、所望の情報４７２であるものとする。そして、図５に示すように、現在位置を、地図上にマッピングして表示している。このとき、現在位置は、少なくとも端末の場所・位置情報を含む情報１５６から得られる情報である。
【００６９】
図６は、図４の第１の機器４００が送信する変調信号のフレーム構成の一例を示している。図６において、横軸は時間であり、また、図２と同様の情報を伝送するシンボルについては、同一の符号を付しており、説明を省略する。
【００７０】
第１の機器４００は、プリアンブル２０１、制御情報シンボル２０２、場所情報、または、位置情報に関するシンボル２０３、時刻情報に関するシンボル２０４、に加え、ＳＳＩＤに関するシンボル６００−１、アクセス先に関するシンボル６００−２を送信する。
【００７１】
なお、ＳＳＩＤに関するシンボル６００−１は図４におけるＳＳＩＤに関する情報４０１−１を送信するためのシンボル、アクセス先に関するシンボル６００−２は図４のアクセス先に関する情報４０１−２を送信するためのシンボルである。なお、図６のフレームにおいて、図６に記載しているシンボル以外のシンボルが含まれていてもよい。また、シンボルの送信する順番を含め、フレーム構成は、図６の構成に限ったものではない。
【００７２】
図７は、図４の基地局４７０が送信する変調信号のフレーム構成の一例を示しており、横軸は時間とする。図７に示すように、基地局４７０は、例えば、プリアンブル７０１を送信し、その後、制御情報シンボル７０２、情報シンボル７０３を送信するものとする。
【００７３】
このとき、プリアンブル７０１は、基地局４７０が送信する変調信号を受信する端末が、例えば、信号検出、時間同期、フレーム同期、周波数同期、周波数オフセット推定などを行うためのシンボルであるものとする。
【００７４】
制御情報シンボル７０２は、例えば、変調信号を生成するのに使用した誤り訂正符号化方式の方法、変調方式に関する情報、フレーム構成に関する情報などのデータを含んでいるものとする。
【００７５】
情報シンボル７０３は、情報を伝送するためのシンボルである。なお、本実施の形態の場合、情報シンボル７０３は、上述で説明した所望の情報４７２を伝送するためのシンボルである。
【００７６】
なお、図４の基地局４７０は、図７に記載しているシンボル以外のシンボルを含むフレームを送信してもよい（例えば、情報シンボルの途中でパイロットシンボル（リファレンスシンボル）が含まれるフレームなど）。また、シンボルの送信する順番を含め、フレーム構成は、図７の構成に限ったものではない。そして、図７において、周波数軸方向に複数のシンボルが存在してもよい、つまり、複数の周波数（複数のキャリア）にシンボルが存在していてもよい。
【００７７】
また、例えば、第１の機器が送信する図６のフレーム構成の変調信号は、規則的なタイミングで、例えば、繰り返し、送信する方法が考えられる。これにより、複数の端末が、上述で説明したような動作を実施することができることになる。
【００７８】
図８は、上述した、図４の「第１の機器４００」、「端末４５０」、「基地局（または、ＡＰ）４７０」が実施する処理の一例を示すフローチャートである。
【００７９】
・まず、図８の８０１のように、図４の第１の機器４００は、図６のフレーム構成の変調信号を送信する。
【００８０】
・そして、図８の８０２のように、図４の第１の機器４００が送信した変調信号を受信し、図４の端末４５０は、端末の場所・位置推定を行う。
【００８１】
・あわせて、図８の８０３のように、図４の第１の機器４００が送信した変調信号を受信し、図４の端末４５０は、端末がアクセスする基地局のＳＳＩＤを把握する。
【００８２】
・そして、図８の８０４のように、図４の端末４５０は、地図などの情報を入手するためのアクセス先に関する情報を含むデータを含む変調信号を、例えば、電波を用いて、図４の基地局（または、ＡＰ）４７０に送信する。
【００８３】
・図８の８０５のように、基地局（または、ＡＰ）４７０は、端末４５０が送信した変調信号を受信し、アクセス先の情報を得、そして、ネットワークを介して、所望のアクセス先にアクセスし、地図などの所望の情報を得る。
【００８４】
・そして、図８の８０６のように、図４の基地局（または、ＡＰ）４７０は、入手した地図などの所望の情報を含む変調信号を、端末４５０に、例えば、電波を用いて、送信する。
【００８５】
・図８の８０７のように、端末４５０は、基地局（または、ＡＰ）４７０が送信した変調信号を受信し、地図（など）の情報を得る。そして、端末４５０は、地図（など）の情報とすでに得ている端末の場所・位置の情報に基づいて、図５のような表示を行う。
【００８６】
次に、第１の機器４００を複数、基地局（または、ＡＰ）４７０を図５の場所に設置した場合の動作例について説明する。
【００８７】
図５と同様に、図９にある場所の地図を記載している。
【００８８】
図９は、図５で説明したように、「３階のフロアー」の地図である。そして、Ａ−１、Ａ−２、Ａ−３、Ａ−４、Ａ−２１、Ａ−２２、Ａ−２３、Ａ−２４は、車の駐車スペースであり、Ｂ−１、Ｂ−２はエレベータを示している。
【００８９】
そして、図９の「○」９０１−１の位置に、図４の機器１００と同様の構成を持つ第１の機器を設置する。９０１−１の位置にある図４の機器１００と同様の構成を持つ第１の機器を「第１の１の機器」と名づける。第１の１の機器は、場所に関する情報、または、位置に関する情報として「Ａ−１」という情報をもち、「Ａ−１」という情報を、場所に関する情報、または、位置に関する情報として、送信することになる。
【００９０】
図９の「○」９０１−２の位置に、図４の機器１００と同様の構成を持つ第１の機器を設置する。９０１−２の位置にある図４の機器１００と同様の構成を持つ第１の機器を「第１の２の機器」と名づける。第１の２の機器は、場所に関する情報、または、位置に関する情報として「Ａ−２」という情報をもち、「Ａ−２」という情報を、場所に関する情報、または、位置に関する情報として、送信することになる。
【００９１】
図９の「○」９０１−３の位置に、図４の機器１００と同様の構成を持つ第１の機器を設置する。９０１−３の位置にある図４の機器１００と同様の構成を持つ第１の機器を「第１の３の機器」と名づける。第１の３の機器は、場所に関する情報、または、位置に関する情報として「Ａ−３」という情報をもち、「Ａ−３」という情報を、場所に関する情報、または、位置に関する情報として、送信することになる。
【００９２】
図９の「○」９０１−４の位置に、図４の機器１００と同様の構成を持つ第１の機器を設置する。９０１−４の位置にある図４の機器１００と同様の構成を持つ第１の機器を「第１の４の機器」と名づける。第１の４の機器は、場所に関する情報、または、位置に関する情報として「Ａ−４」という情報をもち、「Ａ−４」という情報を、場所に関する情報、または、位置に関する情報として、送信することになる。
【００９３】
図９の「○」９０１−２１の位置に、図４の機器１００と同様の構成を持つ第１の機器を設置する。９０１−２１の位置にある図４の機器１００と同様の構成を持つ第１の機器を「第１の２１の機器」と名づける。第１の２１の機器は、場所に関する情報、または、位置に関する情報として「Ａ−２１」という情報をもち、「Ａ−２１」という情報を、場所に関する情報、または、位置に関する情報として、送信することになる。
【００９４】
図９の「○」９０１−２２の位置に、図４の機器１００と同様の構成を持つ第１の機器を設置する。９０１−２２の位置にある図４の機器１００と同様の構成を持つ第１の機器を「第１の２２の機器」と名づける。第１の２２の機器は、場所に関する情報、または、位置に関する情報として「Ａ−２２」という情報をもち、「Ａ−２２」という情報を、場所に関する情報、または、位置に関する情報として、送信することになる。
【００９５】
図９の「○」９０１−２３の位置に、図４の機器１００と同様の構成を持つ第１の機器を設置する。９０１−２３の位置にある図４の機器１００と同様の構成を持つ第１の機器を「第１の２３の機器」と名づける。第１の２３の機器は、場所に関する情報、または、位置に関する情報として「Ａ−２３」という情報をもち、「Ａ−２３」という情報を、場所に関する情報、または、位置に関する情報として、送信することになる。
【００９６】
図９の「○」９０１−２４の位置に、図４の第１の機器４００と同様の構成を持つ第１の機器を設置する。９０１−２４の位置にある図４の第１の機器４００と同様の構成を持つ第１の機器を「第１の２４の機器」と名づける。第１の２４の機器は、場所に関する情報、または、位置に関する情報として「Ａ−２４」という情報をもち、「Ａ−２４」という情報を、場所に関する情報、または、位置に関する情報として、送信することになる。
【００９７】
そして、図９の「◎」９０２の位置に、図４の基地局４７０と同様の構成を持つ基地局（または、ＡＰ）を設置するものとする。このとき、９０２の位置にある図４の基地局４７０と同様の構成を持つ基地局（または、ＡＰ）のＳＳＩＤは、「ａｂｃｄｅｆ」とする。
【００９８】
図９の地図で示されている位置周辺に存在する端末は、無線通信を行う場合、図９の９０２の位置に設置した図４の基地局４７０と同様の構成を持つ基地局（または、ＡＰ）にアクセスするとよい。したがって、図９の９０１−１に設置されている「第１の１の機器」は、ＳＳＩＤに関する情報（図４の４０１−１参照）として「ａｂｃｄｅｆ」を送信することになる。
【００９９】
同様に、図９の９０１−２に設置されている「第１の２の機器」は、ＳＳＩＤに関する情報（図４の４００−１参照）として「ａｂｃｄｅｆ」を送信することになる。
【０１００】
図９の９０１−３に設置されている「第１の３の機器」は、ＳＳＩＤに関する情報（図４の４０１−１参照）として「ａｂｃｄｅｆ」を送信することになる。
【０１０１】
図９の９０１−４に設置されている「第１の４の機器」は、ＳＳＩＤに関する情報（図４の４０１−１参照）として「ａｂｃｄｅｆ」を送信することになる。
【０１０２】
図９の９０１−２１に設置されている「第１の２１の機器」は、ＳＳＩＤに関する情報（図４の４０１−１参照）として「ａｂｃｄｅｆ」を送信することになる。
【０１０３】
図９の９０１−２２に設置されている「第１の２２の機器」は、ＳＳＩＤに関する情報（図４の４０１−１参照）として「ａｂｃｄｅｆ」を送信することになる。
【０１０４】
図９の９０１−２３に設置されている「第１の２３の機器」は、ＳＳＩＤに関する情報（図４の４０１−１参照）として「ａｂｃｄｅｆ」を送信することになる。
【０１０５】
図９の９０１−２４に設置されている「第１の２４の機器」は、ＳＳＩＤに関する情報（図４の４０１−１参照）として「ａｂｃｄｅｆ」を送信することになる。
【０１０６】
以下で、具体的な動作例を説明する。
【０１０７】
図９の９０３−１の位置に図４の端末４５０と同様の構成を持つ端末があるものとする。すると、端末は、図９の９０１−４の位置にある「第１の４の機器」が送信した変調信号を受信し、「Ａ−４」という位置情報を得ることになる。また、端末は、「ａｂｃｄｅｆ」というＳＳＩＤの情報を得ることになり、これにより、端末は、図９の９０２に位置する図４の基地局４７０と同様の構成を持つ基地局（または、ＡＰ）にアクセスすることになり、端末は、図９の９０２に位置する図４の基地局４７０と同様の構成を持つ基地局（または、ＡＰ）から、地図などの情報を得ることになる。そして、端末は、地図情報と位置情報を表示することになる（図５参照。ただし、図５はあくまでも表示の例である。）
【０１０８】
図９の９０３−２の位置に図４の端末４５０と同様の構成を持つ端末があるものとする。すると。端末は、図９の９０１−２２の位置にある「第１の２２の機器」が送信した変調信号を受信し、「Ａ−２２」という位置情報を得ることになる。また、端末は「ａｂｃｄｅｆ」というＳＳＩＤの情報を得ることになり、これにより、端末は、図９の９０２に位置する図４の基地局４７０と同様の構成を持つ基地局（または、ＡＰ）にアクセスすることになる、端末は、図９の９０２に位置する図４の基地局４７０と同様の構成を持つ基地局（または、ＡＰ）から、地図などの情報を得ることになる。そして、端末は、地図情報と位置情報を表示することになる（図５参照。ただし、図５はあくまでも表示の例である。）
【０１０９】
なお、端末は、図５のような、地図（周辺情報）と位置情報を、端末が具備する記憶部に記憶しておき、端末を使用するユーザーが必要なときに、この記憶している情報を取り出せるようにすると、ユーザーはより便利に地図（周辺情報）と位置情報を活用することができる。
【０１１０】
以上のように、第１の機器は、可視光により変調信号を送信しているため、この変調信号を受信することができる端末は、第１の機器の位置から信号光を受光できる範囲内に限定される。したがって、第１の機器が送信した場所・位置情報を端末が受信することで、端末は、高精度な位置情報を簡単に（複雑な信号処理をしなくてもよい）取得できるという効果を得ることができる。また、第１の機器をＧＰＳからの衛星電波が受信しづらいところに設置すると、端末は、ＧＰＳの衛星からの電波が受信しづらいところでも、第１の機器が送信する変調信号を受信することで、高精度な位置情報を、安全に入手することができるという効果を得ることができる。
【０１１１】
さらに、第１の機器から送信されたＳＳＩＤの情報に基づいて、端末が、基地局（または、ＡＰ）と接続して、情報を得ることで、情報を安全に入手することができるという効果を得ることができる。なぜなら、可視光の変調信号から情報を得た場合、可視光であるが故にユーザーは変調信号を送信した第１の機器を容易に認識することができ、情報元が安全かどうかの判断を行いやすいからである。
【０１１２】
例えば、ＳＳＩＤを無線ＬＡＮが送信した電波の変調信号から取得した場合、ユーザーは電波を送信した機器の判別が難しい。このため、情報の安全性の確保という点では、可視光通信でＳＳＩＤを取得するほうが適している。
【０１１３】
なお、図４の端末４５０の無線装置４５３にさらに複数の入力信号が存在していてもよい。例えば、無線装置４５３を制御するための制御信号、基地局に送信する情報が、入力信号として存在していてもよい。このとき、制御信号に基づき、無線装置４５３が通信を開始するという動作が一例として考えられる。以上のように、第１の機器の構成は図４の第１の機器４００の構成に限ったものではなく、また、端末の構成は、図４の端末４５０の構成に限ったものではなく、基地局４７０の接続先、構成についても図４に示したものに限定されない。
【０１１４】
また、図４において、基地局（または、ＡＰ）が１つ配置されている場合について記載しているが、端末がアクセス可能な（安全な）基地局（または、ＡＰ）が複数存在していてもよい。このとき、図４の第１の機器４００が送信するＳＳＩＤに関するシンボルには、これらの複数存在する基地局（または、ＡＰ）のそれぞれのＳＳＩＤを示す情報が含まれていてもよい。そして、図４の端末４５０は、複数存在する基地局のＳＳＩＤの情報に基づいて、無線接続する基地局（または、ＡＰ）を選択してもよい（または、複数の基地局（または、ＡＰ）と接続してもよい。）
【０１１５】
例えば、基地局（または、ＡＰ）が３つあるとする。それぞれを、基地局＃Ａ、基地局＃Ｂ、基地局＃Ｃと名づける。そして、基地局＃ＡのＳＳＩＤを「ａｂｃｄｅｆ」とし、基地局＃ＢのＳＳＩＤを「ｇｈｉｊｋ」とし、基地局＃ＣのＳＳＩＤを「ｐｑｒｓｔｕ」とする。すると、第１の機器が送信する変調信号の図６のフレーム構成におけるＳＳＩＤに関するシンボル６００−１は、「基地局＃ＡのＳＳＩＤ「ａｂｃｄｅｆ」」、「基地局＃ＢのＳＳＩＤ「ｇｈｉｊｋ」」、「基地局＃ＣのＳＳＩＤ「ｐｑｒｓｔｕ」」に関する情報を含んでいるものとする。そして、図４の端末４５０は、ＳＳＩＤに関するシンボル６００−１を受信し、「基地局＃ＡのＳＳＩＤ「ａｂｃｄｅｆ」」、「基地局＃ＢのＳＳＩＤ「ｇｈｉｊｋ」」、「基地局＃ＣのＳＳＩＤ「ｐｑｒｓｔｕ」」の情報に基づいて、無線接続する基地局（または、ＡＰ）を選択する。
【０１１６】
（実施の形態４）
図１０は、本実施の形態における通信システムの構成の一例を示す図である。図１０の通信システムは、例えば、ＬＥＤなどの可視光の光源、照明、光源、ライトを具備する機器１０００、端末１０５０、端末１０５０と通信を行う例えば基地局４７０を含む。図１０の機器１０００は、例えば、ＬＥＤなどの可視光、照明、光源、ライトを具備する。なお、この機器１０００を本実施の形態における「第２の機器」と名づける。そして、図１０の第２の機器１０００において、図１の第１の機器１００と同様に動作する構成要素については、同一の番号を付している。
【０１１７】
図１０の端末１０５０において、図１の端末１５０と同様に動作する構成要素については同一の番号を付している。
【０１１８】
なお、図１０の無線装置４５３と基地局４７０の通信は、例えば、電波を用いるものとする。
【０１１９】
図１０の第２の機器１０００において、送信部１０２は、ＳＳＩＤに関する情報１００１−１、暗号鍵に関する情報１００１−２、データ１００２を入力とし、これらの入力信号に基づいて、（光）変調信号を生成し、変調信号１０３を出力する。そして、変調信号１０３は、例えば、光源１０４から送信される。
【０１２０】
次に、ＳＳＩＤに関する情報１００１−１、および、暗号鍵に関する情報１００１−２について説明を行う。
【０１２１】
まず、ＳＳＩＤに関する情報１００１−１について説明を行う。
【０１２２】
ＳＳＩＤに関する情報１００１−１は、図１０における基地局（または、ＡＰ）４７０のＳＳＩＤを示す情報である。なお、例として、基地局（または、ＡＰ）４７０は、変調信号を電波で送信し、電波の変調信号を受信するものとする。つまり、第２の機器１０００は、端末に対して安全なアクセス先である基地局４７０へのアクセスを提供することができる。これにより、図１０の端末１０５０が、基地局（または、ＡＰ）４７０から、安全に、情報を入手することができるという効果を得ることができる。一方、機器１０００は、基地局４７０に対してアクセスする端末を、機器１０００が送信（照射）した光信号を受信可能な空間にある端末に制限することができる。なお、端末１０５０は、予め定められた方式で送信された光信号を受信した場合に、通知されたＳＳＩＤが安全な基地局のＳＳＩＤであると判別してもよいし、安全であるか否かを判別する処理を行ってもよい。例えば、機器１０００が所定の識別子を光信号に含めて送信し、端末は受信した識別子に基づいて通知されたＳＳＩＤが安全な基地局のＳＳＩＤであるか否かを判断してもよい。
【０１２３】
なお、図１０では、基地局（または、ＡＰ）４７０のみ示しているが、例えば、基地局（または、ＡＰ）４７０以外の基地局（または、ＡＰ）が存在していても、図１０の端末１０５０は、基地局（または、ＡＰ）４７０にアクセスし、情報を入手することになる。
【０１２４】
暗号鍵に関する情報１００１−２は、図１０の端末１０５０が、図１０における基地局（または、ＡＰ）４７０と通信を行うために必要となる暗号鍵に関する情報であり、図１０の端末１０５０は、図１０の第２の機器１０００から、この情報を得ることで、基地局（または、ＡＰ）４７０との間で、暗号化された通信を行うことが可能となる。
【０１２５】
図１０の端末１０５０は、第２の機器１０００が送信した変調信号を受信する。なお、図１０の端末１０５０において、図１の端末１５０、図４の端末４５０と同様に動作する構成要素については、同一の番号を付している。
【０１２６】
端末１０５０が具備する例えば、ＣＭＯＳ、または、有機ＣＭＯＳなどのイメージセンサーなど受光部１５１は、第２の機器１０００が送信した変調信号を受信する。そして、受信部１５３は、受光部１５１で受信した受信信号１５２を入力とし、受信信号の復調・誤り訂正復号などの処理を行い、受信データ１５４を出力する。
【０１２７】
データ解析部１５５は、受信データ１５４を入力とし、受信データから、例えば、接続先となる基地局（４７０）のＳＳＩＤの情報１０５１、および、接続先となる基地局（４７０）と通信を行うための暗号鍵の情報１０５２を出力する。例えば、無線ＬＡＮ（Local Area Network）では、暗号化の方式として、ＷＥＰ（Wired Equivalent Privacy）、ＷＰＡ（Wi-Fi（登録商標） Protected Access）、ＷＰＡ２（Wi-Fi Protected Access 2）（ＰＳＫ（Pre-Shared Key）モード、ＥＡＰ（Extended Authentication Protocol）モード）がある。なお、暗号化方法はこれに限ったものではない。
【０１２８】
表示部１５７は、ＳＳＩＤの情報１０５１、暗号鍵の情報１０５２を入力とし、例えば、端末が具備する無線装置４５３がアクセスする通信相手のＳＳＩＤ、および、暗号鍵を表示する。（この表示を本実施の形態における第１の表示と名づける。）
【０１２９】
例えば、第１の表示後、図１０の端末１０５０が具備する無線装置４５３は、ＳＳＩＤの情報１０５１、および、暗号鍵の情報１０５２を入力とし、基地局（または、ＡＰ）４７０との接続を確立する（例えば、接続は電波を利用するものとする）。このとき、基地局（または、ＡＰ）４７０も、図１０の端末１０５０が具備する無線装置４５３と通信を行う場合、変調信号を例えば電波を用いて送信する。
【０１３０】
その後、図１０の端末１０５０が具備する無線装置４５３は、データ１０５３、および、制御信号１０５４を入力とし、制御信号１０５４の制御にしたがい、データ１０５３に対し、変調を施し、変調信号を電波として送信する。
【０１３１】
そして、例えば、基地局（または、ＡＰ）４７０は、ネットワークに対し、データの送信（４７１）、およびネットワークからのデータの受信（４７２）を行う。その後、例えば、基地局（または、ＡＰ）４７０は、図１０の端末１０５０に対し、変調信号を電波として送信するものとする。
【０１３２】
図１０の端末１０５０が具備する無線装置４５３は、電波として受信した変調信号に対し、復調、誤り訂正復号などの処理を行い、受信データ１０５６を取得する。表示部１５７は、受信データ１０５６に基づいて、表示を行う。
【０１３３】
図１１は、図１０の第２の機器１０００が送信する変調信号のフレーム構成の一例を示している。図１１において、横軸は時間であり、図２、図６と同様のシンボルについては、同一の番号を付しており、説明を省略する。
【０１３４】
ＳＳＩＤに関するシンボル６００−１は、図１０のＳＳＩＤに関する情報１００１−１を送信するためのシンボルであり、暗号鍵に関するシンボル１１０１は、図１０の暗号鍵に関する情報１００１−２を送信するためのシンボルである。データシンボル１１０２は、データ１００２を送信するためのシンボルである。
【０１３５】
第２の機器は、プリアンブル２０１、制御情報シンボル２０２、ＳＳＩＤに関するシンボル６００−１、暗号鍵に関するシンボル１１０１、データシンボル１１０２を送信する。なお、図１０の第２の機器１０００は、図１１で記載しているシンボル以外のシンボルを含むフレームを送信してもよい。また、シンボルを送信する順番を含め、フレーム構成は図１１の構成に限ったものではない。
【０１３６】
図１２は、図１０の端末１０５０が具備する無線装置４５３が送信する変調信号のフレーム構成の一例を示している。図１２において、横軸は時間である。図１２に示すように、図１０の端末１０５０が具備する無線装置４５３は、例えば、プリアンブル１２０１を送信し、その後、制御情報シンボル１２０２、情報シンボル１２０３を送信する。
【０１３７】
このとき、プリアンブル１２０１は、図１０の端末１０５０の無線装置４５３が送信する変調信号を受信する基地局（または、ＡＰ）４７０が、例えば、信号検出、時間同期、フレーム同期、周波数同期、周波数オフセット推定などを行うために用いるシンボルである。
【０１３８】
制御情報シンボル１２０２は、例えば、変調信号を生成するのに使用した誤り訂正符号化方式の方法、変調方式に関する情報、フレーム構成に関する情報、送信方法に関する情報などのデータを含んでおり、基地局（または、ＡＰ）４７０は、この制御情報シンボル１２０２に含まれる情報に基づいて、変調信号の復調などを実施することになる。
【０１３９】
情報シンボル１２０３は、図１０の端末１０５０の無線装置４５３がデータを伝送するためのシンボルである。
【０１４０】
なお、図１０の端末１０５０の無線装置４５３は、図１２に記載しているシンボル以外のシンボルを含むフレームを送信してもよい（例えば、情報シンボルの途中でパイロットシンボル（リファレンスシンボル）が含まれるフレームなど）。また、シンボルを送信する順番を含め、フレーム構成は、図１２の構成に限ったものではない。そして、図１２において、周波数軸方向に複数のシンボルが存在していてもよい、つまり、複数の周波数（複数のキャリア）にシンボルが存在していてもよい。
【０１４１】
なお、実施の形態３において、図４の端末１０５０が具備する無線装置４５３が変調信号を送信する際、図１２のフレーム構成を用いてもよい。
【０１４２】
図７は、図１０の基地局４７０が送信する変調信号のフレーム構成の一例を示している。図７において横軸は時間とする。図７に示すように、基地局４７０は、例えば、プリアンブル７０１を送信し、その後、制御情報シンボル７０２、情報シンボル７０３を送信するものとする。
【０１４３】
このとき、プリアンブル７０１は、基地局４７０が送信する変調信号を受信する図１０の端末１０５０の無線装置４５３が、例えば、信号検出、時間同期、フレーム同期、周波数同期、周波数オフセット推定などを行うためのシンボルであるものとする。
【０１４４】
制御情報シンボル７０２は、例えば、変調信号を生成するのに使用した誤り訂正符号化方式の方法、変調方式に関する情報、フレーム構成に関する情報、送信方法に関する情報などのデータを含んでいるものとし、図１０の端末１０５０の無線装置４５３は、このシンボルの情報に基づいて、変調信号の復調などを実施することになる。
【０１４５】
情報シンボル７０３は、図１０の基地局（または、ＡＰ）４７０がデータを伝送するためのシンボルである。
【０１４６】
なお、図１０の基地局（または、ＡＰ）４７０は、図７に記載しているシンボル以外のシンボルを含むフレームを送信してもよい（例えば、情報シンボルの途中でパイロットシンボル（リファレンスシンボル）が含まれるフレームなど）。また、シンボルを送信する順番を含め、フレーム構成は、図７の構成に限ったものではない。そして、図７において、周波数軸方向に複数のシンボルが存在していてもよい、つまり、複数の周波数（複数のキャリア）にシンボルが存在していてもよい。
【０１４７】
また、例えば、第２の機器１０００が送信する図１１のフレーム構成の変調信号は、規則的なタイミングで、例えば、繰り返し、送信する方法が考えられる。これにより、複数の端末が、上述で説明したような動作を実施することができることになる。
【０１４８】
図１３は、上述した、図１０の「第２の機器１０００」、「端末１０５０」、「基地局（または、ＡＰ）４７０」が実施する処理の一例を示すフローチャートである。
【０１４９】
・まず、図１３の１３０１のように、図１０の第２の機器１０００は、図１１のフレーム構成の変調信号を送信する。
【０１５０】
・そして、図１３の１３０２のように、図１０の第２の機器１０００が送信した変調信号を受信し、図１０の端末１０５０は、端末１０５０がアクセスする基地局のＳＳＩＤを取得する。
【０１５１】
・あわせて、図１３の１３０３のように、図１０の端末１０５０は、端末がアクセスする基地局４７０との通信に用いる暗号鍵を取得する。
【０１５２】
・そして、図１０の端末１０５０は、図１０の基地局４７０との電波による接続を実施する（１３０４）。
【０１５３】
・図１０の基地局４７０の応答により、図１３の１３０５のように、図１０の端末１０５０は、図１０の基地局４７０との接続が完了する。
【０１５４】
・そして、図１３の１３０６のように、図１０の端末１０５０は、基地局４７０に対し、接続先の情報を図１０の基地局４７０に、電波を用いて送信する。
【０１５５】
・すると、図１３の１３０７のように、図１０の基地局４７０は、ネットワークから、図１０の端末１０５０に送信するための情報を入手する。
【０１５６】
・そして、図１３の１３０８のように、図１０の基地局４７０は、入手した情報を図１０の端末１０５０に、電波を用いて、送信し、図１０の端末１０５０は情報を得る。
【０１５７】
図１０の端末１０５０は、例えば、必要なとき、図１０の基地局４７０を介して、ネットワークから必要な情報を取得する。
【０１５８】
以上のように、第２の機器から送信されたＳＳＩＤの情報、暗号鍵の情報をもとに、端末は、基地局（または、ＡＰ）と接続し、情報を取得することで、安全性の保証された基地局（または、ＡＰ）を介して情報を安全に入手することができるという効果を得ることができる。なぜなら、可視光の変調信号から情報を得た場合、可視光であるが故に情報元が安全かどうかの判断をユーザーが行いやすいからである。
【０１５９】
例えば、ＳＳＩＤを無線ＬＡＮが送信した電波の変調信号から取得した場合、ユーザーは電波を送信した機器の判別が難しい。このため、情報の安全性の確保という点では、可視光通信でＳＳＩＤを取得するほうが適している。
【０１６０】
なお、本実施の形態では、第２の機器が、暗号鍵の情報を送信する場合を説明しているが、例えば、基地局（または、ＡＰ）が暗号鍵を用いた暗号化された通信を行っていない場合、第２の機器は、暗号鍵の情報を送信せず、ＳＳＩＤに関する情報のみを送信し、暗号鍵に関する構成を削除するだけで、同様に実施することができる。
【０１６１】
また、第２の機器の構成は図１０に示す構成に限ったものではなく、また、端末の構成は、図１０に示す構成に限ったものではなく、基地局の接続先、構成方法についても図１０に限ったものではない。
【０１６２】
そして、本実施の形態では、図１０において、基地局（または、ＡＰ）が１つ配置されている場合について記載しているが、端末がアクセス可能な（安全な）基地局（または、ＡＰ）が複数存在していてもよい（なお、これらの基地局と端末は、電波を用いて、変調信号の送受信を行うことになる。）。このとき、図１０の第２の機器１０００が送信するＳＳＩＤに関するシンボルに、これらの複数存在する基地局（または、ＡＰ）のそれぞれのＳＳＩＤの情報が含まれていてもよい。また、図１０の第２の機器１０００が送信する暗号鍵に関するシンボルに、これらの複数存在する基地局（または、ＡＰ）のそれぞれの基地局と接続するために用いる暗号鍵の情報が含まれていてもよい。そして、図１０の端末１０５０は、複数存在する基地局のＳＳＩＤの情報、暗号鍵の情報に基づいて、（例えば、電波による）無線接続する基地局（または、ＡＰ）を選択してもよい（または、複数の基地局（または、ＡＰ）と接続してもよい。）
【０１６３】
例えば、基地局（または、ＡＰ）が３つあるとする。それぞれを、基地局＃Ａ、基地局＃Ｂ、基地局＃Ｃと名づける。そして、基地局＃ＡのＳＳＩＤを「ａｂｃｄｅｆ」とし、基地局＃ＢのＳＳＩＤを「ｇｈｉｊｋ」とし、基地局＃ＣのＳＳＩＤを「ｐｑｒｓｔｕ」とし、基地局＃Ａと接続するための暗号鍵を「１２３」、基地局＃Ｂと接続するための暗号鍵を「４５６」、基地局＃Ｃと接続するための暗号鍵を「７８９」とする。
【０１６４】
すると、第２の機器が送信する変調信号の図１１のフレーム構成におけるＳＳＩＤに関するシンボル６００−１は、「基地局＃ＡのＳＳＩＤ「ａｂｃｄｅｆ」」、「基地局＃ＢのＳＳＩＤ「ｇｈｉｊｋ」」、「基地局＃ＣのＳＳＩＤ「ｐｑｒｓｔｕ」」に関する情報を含んでいるものとする。そして、図１１のフレーム構成における暗号鍵に関するシンボル１１０１は、「基地局＃Ａと接続するための暗号鍵「１２３」」、「基地局＃Ｂと接続するための暗号鍵「４５６」」、「基地局＃Ｃと接続するための暗号鍵「７８９」」に関する情報を含んでいるものとする。
【０１６５】
そして、図１０の端末１０５０は、ＳＳＩＤに関するシンボル６００−１を受信し、「基地局＃ＡのＳＳＩＤ「ａｂｃｄｅｆ」」、「基地局＃ＢのＳＳＩＤ「ｇｈｉｊｋ」」、「基地局＃ＣのＳＳＩＤ「ｐｑｒｓｔｕ」」の情報を得、暗号鍵に関するシンボル１１０１を受信し、「基地局＃Ａと接続するための暗号鍵「１２３」」、「基地局＃Ｂと接続するための暗号鍵「４５６」」、「基地局＃Ｃと接続するための暗号鍵「７８９」」に関する情報を得る。そして、これらの情報に基づいて、図１０の端末１０５０は、（例えば、電波による）無線接続する基地局（または、ＡＰ）を選択し、接続することになる。
【０１６６】
また、本実施の形態のように、ＬＥＤを例とする光源を利用して、端末がアクセスする基地局を設定することで、端末が送信する無線のための変調信号に、端末と基地局の無線通信の接続のための手続きを行う特別な設定のためのモードが不要となり、また、基地局が送信する変調信号に、端末と基地局の無線通信の接続のための手続きを行う特別な設定のためのモードが不要となり、無線通信のデータ伝送効率が向上するという効果を得ることができることになる。
【０１６７】
そして、暗号鍵は、前にも説明したように、無線ＬＡＮのＳＳＩＤのための暗号鍵であってもよいし、接続形態、サービス形態、ネットワークの接続範囲などを制限するための暗号鍵であってもよい（つまり、何らかの制限のために暗号鍵を導入すればよい。）。
【０１６８】
（実施の形態５）［ＳＳＩＤとパスワード分離］
図１４は、本実施の形態における、例えば、ＬＥＤなどの可視光の光源、照明、光源、ライトを具備する機器、端末、端末と通信を行う例えば基地局の構成の一例を示しており、図１４の通信システムは、例えば、ＬＥＤなどの光源、照明、光源、ライトを具備する機器１４００Ａ，１４００Ｂ、端末１０５０、端末１０５０と通信を行う例えば基地局４７０を含む。なお、図１４の機器１４００Ａを本実施の形態における「第３の機器」と名づけ、図１４の機器１４００Ｂを本実施の形態における「第４の機器」と名づける。なお、図１４の端末１０５０において、図１、図１０と同様に動作するものについては、同一番号を付しており、基地局またはＡＰについても、図４と同様に動作するものについては、図４と同一番号を付している。
【０１６９】
なお、図１４の無線装置４５３と基地局４７０の通信は、例えば、電波を用いるものとする。
【０１７０】
図１４の第３の機器１４００Ａにおいて、送信部１４０４−１は、ＳＳＩＤに関する情報１４０１−１、データ１４０２−１を入力とし、これらの入力信号に基づいて、（光）変調信号を生成し、変調信号１４０５−１を出力する。そして、変調信号１４０５−１は、光源１４０６−１から送信される。
【０１７１】
図１４の第４の機器１４００Ｂにおいて、送信部１４０４−２は、暗号鍵に関する情報１４０３−２、データ１４０２−２を入力とし、これらの入力信号に基づいて、（光）変調信号を生成し、変調信号１４０５−２を出力する。そして、変調信号１４０５−２は、光源１４０６−２から送信される。
【０１７２】
次にＳＳＩＤに関する情報１４０１−１、および、暗号鍵に関する情報１４０３−２について説明を行う。
【０１７３】
まず、ＳＳＩＤに関する情報１４０１−１について説明を行う。
【０１７４】
ＳＳＩＤに関する情報１４０１−１は、図１４における基地局（または、ＡＰ）４７０のＳＳＩＤを示す情報である。つまり、第３の機器１４００Ａは、端末に対して電波による安全なアクセス先である基地局４７０へのアクセスを提供することができる。これにより、図１４の端末１０５０が、基地局（または、ＡＰ）４７０から、安全に、情報を入手することができるという効果を得ることができる。
【０１７５】
なお、端末１０５０は、予め定められた方式で送信された光信号を受信した場合に、通知されたＳＳＩＤが安全な基地局のＳＳＩＤであると判別してもよいし、安全であるか否かを判別する処理を行ってもよい。例えば、機器１４００Ａが所定の識別子を光信号に含めて送信し、端末は受信した識別子に基づいて通知されたＳＳＩＤが安全な基地局のＳＳＩＤであるか否かを判断してもよい。
【０１７６】
なお、図１４では、基地局（または、ＡＰ）４７０のみ示しているが、例えば、基地局（または、ＡＰ）４７０以外の基地局（または、ＡＰ）が存在していても、図１４の端末１０５０は、基地局（または、ＡＰ）４７０にアクセスし、情報を入手することになる。
【０１７７】
暗号鍵に関する情報１４０３−２は、図１４の端末１０５０が、図１４における基地局（または、ＡＰ）４７０と電波による通信を行うために必要となる暗号鍵に関する情報であり、図１４の端末１０５０は、図１４の第４の機器１４００Ｂから、この情報を得ることで、基地局（または、ＡＰ）４７０との間で、暗号化された通信を行うことが可能となる。
【０１７８】
まず、図１４の端末１０５０は、第３の機器１４００Ａが送信した変調信号を受信する。
【０１７９】
端末１０５０が具備する例えば、ＣＭＯＳ、または、有機ＣＭＯＳなどのイメージセンサーなど受光部１５１は、第３の機器１４００Ａが送信した変調信号を受信する。そして、受信部１５３は、受光部１５１で受信した受信信号１５２を入力とし、受信信号の復調・誤り訂正復号などの処理を行い、受信データ１５４を出力する。
【０１８０】
データ解析部１５５は、受信データ１５４を入力とし、受信データから、例えば、接続先となる基地局（４７０）のＳＳＩＤの情報１０５１を出力する。
【０１８１】
したがって、端末１０５０が具備する無線装置４５３は、ＳＳＩＤの情報１０５１から、無線装置４５３が電波により接続する基地局のＳＳＩＤの情報を得ることになる。
【０１８２】
次に、図１４の端末１０５０は、第４の機器１４００Ｂが送信した変調信号を受信する。
【０１８３】
端末１０５０が具備する例えば、ＣＭＯＳ、または、有機ＣＭＯＳなどのイメージセンサーなど受光部１５１は、第４の機器１４００Ｂが送信した変調信号を受信する。そして、受信部１５３は、受光部１５１で受信した受信信号１５２を入力とし、受信信号の復調・誤り訂正復号などの処理を行い、受信データ１５４を出力する。
【０１８４】
データ解析部１５５は、受信データ１５４を入力とし、受信データから、例えば、接続先となる基地局（４７０）と通信を行うための暗号鍵の情報１０５２を出力する。例えば、無線ＬＡＮ（Local Area Network）では、暗号化の方式として、ＷＥＰ（Wired Equivalent Privacy）、ＷＰＡ（Wi-Fi Protected Access）、ＷＰＡ２（Wi-Fi Protected Access 2）（ＰＳＫ（Pre-Shared Key）モード、ＥＡＰ（Extended Authentication Protocol）モード）がある。なお、暗号化方法はこれに限ったものではない。
【０１８５】
したがって、端末１０５０が具備する無線装置４５３は、（例えば、電波による）接続先となる基地局（４７０）と通信を行うための暗号鍵の情報１０５２から、無線装置４５３が接続する基地局の暗号鍵の情報を得ることになる。
【０１８６】
表示部１５７は、ＳＳＩＤの情報１０５１、暗号鍵の情報１０５２を入力とし、例えば、端末が具備する無線装置４５３がアクセスする通信相手のＳＳＩＤ、および、暗号鍵を表示する。（この表示を本実施の形態における第１の表示と名づける。）
【０１８７】
例えば、第１の表示後、図１４の端末１０５０が具備する無線装置４５３は、ＳＳＩＤの情報１０５１、および、暗号鍵の情報１０５２を入力とし、基地局（または、ＡＰ）４７０との電波による接続を確立する（例えば、接続は電波を利用するものとする）。このとき、基地局（または、ＡＰ）４７０も、図１４の端末１０５０が具備する無線装置４５３と通信を行う場合、変調信号を例えば電波を用いて送信する。
【０１８８】
その後、図１４の端末１０５０が具備する無線装置４５３は、データ１０５３、および、制御信号１０５４を入力とし、制御信号１０５４の制御にしたがい、データ１０５３に対し、変調を施し、変調信号を電波により送信する。
【０１８９】
そして、例えば、基地局（または、ＡＰ）４７０は、ネットワークに対し、データの送信（４７１）、およびネットワークからのデータの受信（４７２）を行う。その後、例えば、基地局（または、ＡＰ）４７０は、図１４の端末１０５０に対し、変調信号を電波により送信するものとする。
【０１９０】
図１４の端末１０５０が具備する無線装置４５３は、受信した変調信号に対し、復調、誤り訂正復号などの処理を行い、受信データ１０５６を取得する。表示部１５７は、受信データ１０５６に基づいて、表示を行う。
【０１９１】
図１５は、図１４の第３の機器１４００Ａが送信する変調信号のフレーム構成の一例を示している。図１５において、横軸は時間であり、図２、図６、図１１と同様のシンボルについては、同一の符号を付しており、説明を省略する。
【０１９２】
ＳＳＩＤに関するシンボル６００−１は、図１４のＳＳＩＤに関する情報１４０１−１を送信するためのシンボルである。データシンボル１１０２は、データ１４０２−１を送信するためのシンボルである。
【０１９３】
第３の機器１４００Ａは、プリアンブル２０１、制御情報シンボル２０２、ＳＳＩＤに関するシンボル６００−１、データシンボル１１０２を送信する。なお、図１４の第３の機器１４００Ａは、図１５で記載しているシンボル以外のシンボルを含むフレームを送信してもよい。また、シンボルを送信する順番を含め、フレーム構成は図１５の構成に限ったものではない。
【０１９４】
図１６は、図１４の第４の機器１４００Ｂが送信する変調信号のフレーム構成の一例を示している。図１６において、横軸は時間であり、図２、図１１と同様のシンボルについては、同一符号を付しており、説明を省略する。
【０１９５】
暗号鍵に関するシンボル１１０１は、図１４の暗号鍵に関する情報１４０３−２を送信するためのシンボルである。データシンボル１１０２は、データ１４０２−２を送信するためのシンボルである。
【０１９６】
第４の機器１４００Ｂは、プリアンブル２０１、制御情報シンボル２０２、暗号鍵に関するシンボル１１０１、データシンボル１１０２を送信する。なお、図１４の第４の機器１４００Ｂは、図１６で記載しているシンボル以外のシンボルを含むフレームを送信してもよい。また、シンボルを送信する順番を含め、フレーム構成は図１６に限ったものではない。
【０１９７】
図１２は、図１４の端末１０５０が具備する無線装置４５３が送信する変調信号のフレーム構成の一例を示している。図１２において、横軸は時間である。図１２に示すように、図１４の端末１０５０が具備する無線装置４５３は、例えば、プリアンブル１２０１を送信し、その後、制御情報シンボル１２０２、情報シンボル１２０３を送信する。
【０１９８】
このとき、プリアンブル１２０１は、図１４の端末１０５０の無線装置４５３が送信する変調信号を受信する基地局（または、ＡＰ）４７０が、例えば、信号検出、時間同期、フレーム同期、周波数同期、周波数オフセット推定などを行うために用いるシンボルである。
【０１９９】
制御情報シンボル１２０２は、例えば、変調信号を生成するのに使用した誤り訂正符号化方式の方法、変調方式に関する情報、フレーム構成に関する情報、送信方法に関する情報などのデータを含んでおり、基地局（または、ＡＰ）４７０は、この制御情報シンボル１２０２に含まれる情報に基づいて、変調信号の復調などを実施することになる。
【０２００】
情報シンボル１２０３は、図１４の端末１０５０の無線装置４５３がデータを伝送するためのシンボルである。
【０２０１】
なお、図１４の端末１０５０の無線装置４５３は、図１２に記載しているシンボル以外のシンボルを含むフレームを送信してもよい（例えば、情報シンボルの途中でパイロットシンボル（リファレンスシンボル）が含まれるフレームなど）。また、シンボルを送信する順番を含め、フレーム構成は、図１２の構成に限ったものではない。そして、図１２において、周波数軸方向に複数のシンボルが存在していてもよい、つまり、複数の周波数（複数のキャリア）にシンボルが存在していてもよい。
【０２０２】
図７は、図１４の基地局４７０が送信する変調信号のフレーム構成の一例を示している。図７において横軸は時間とする。図７に示すように、基地局４７０は、例えば、プリアンブル７０１を送信し、その後、制御情報シンボル７０２、情報シンボル７０３を送信するものとする。
【０２０３】
このとき、プリアンブル７０１は、基地局４７０が送信する変調信号を受信する図１４の端末１０５０の無線装置４５３が、例えば、信号検出、時間同期、フレーム同期、周波数同期、周波数オフセット推定などを行うためのシンボルであるものとする。
【０２０４】
制御情報シンボル７０２は、例えば、変調信号を生成するのに使用した誤り訂正符号化方式の方法、変調方式に関する情報、フレーム構成に関する情報、送信方法に関する情報などのデータを含んでいるものとし、図１４の端末１０５０の無線装置４５３は、このシンボルの情報に基づいて、変調信号の復調などを実施することになる。
【０２０５】
情報シンボル７０３は、図１４の基地局（または、ＡＰ）４７０がデータを伝送するためのシンボルである。
【０２０６】
なお、図１４の基地局（または、ＡＰ）４７０は、図７に記載しているシンボル以外のシンボルを含むフレームを送信してもよい（例えば、情報シンボルの途中でパイロットシンボル（リファレンスシンボル）が含まれるフレームなど）。また、シンボルを送信する順番を含め、フレーム構成は、図７の構成に限ったものではない。そして、図７において、周波数軸方向に複数のシンボルが存在していてもよい、つまり、複数の周波数（複数のキャリア）にシンボルが存在していてもよい。
【０２０７】
また、例えば、第３の機器１４００Ａが送信する図１５のフレーム構成の変調信号は、規則的なタイミングで、例えば、繰り返し、送信する方法が考えられる。これにより、複数の端末が、上述で説明したような動作を実施することができることになる。
【０２０８】
同様に、第４の機器１４００Ｂが送信する図１６のフレーム構成の変調信号は規則的なタイミングで、例えば、繰り返し、送信する方法が考えられる。これにより、複数の端末が、上述で説明したような動作を実施することができることになる。
【０２０９】
図１７は、上述した、図１４の「第３の機器１４００Ａ」、「第４の機器１４００Ｂ」、「端末１０５０」、「基地局（または、ＡＰ）４７０」が実施する処理の第１の例を示すフローチャートである。なお、図１７において、図１３と同様に動作するものについては、同一番号を付している。
【０２１０】
・まず、図１７の１７０１のように、図１４の第３の機器１４００Ａは、図１５のフレーム構成の変調信号を送信する。
【０２１１】
・そして、図１７の１７０２のように、図１４の第３の機器１４００Ａが送信した変調信号を受信し、図１４の端末１０５０は、端末１０５０がアクセスする基地局のＳＳＩＤを取得する。
【０２１２】
・次に、図１７の１７０３のように、図１４の第４の機器１４００Ｂは、図１６のフレーム構成の変調信号を送信する。
【０２１３】
・そして、図１７の１７０４のように、図１４の第４の機器１４００Ｂが送信した変調信号を受信し、図１４の端末１０５０は、端末がアクセスする基地局４７０との通信に用いる暗号鍵を取得する。
【０２１４】
・そして、図１４の端末１０５０は、図１４の基地局４７０との電波による接続を実施する（１３０４）。
【０２１５】
・図１４の基地局４７０の応答により、図１７の１３０５のように、図１４の端末１０５０は、図１４の基地局４７０との電波による接続が完了する。
【０２１６】
・そして、図１７の１３０６のように、図１４の端末１０５０は、基地局４７０に対し、接続先の情報を図１４の基地局４７０に、電波を用いて送信する。
【０２１７】
・すると、図１７の１３０７のように、図１４の基地局４７０は、ネットワークから、図１４の端末１０５０に送信するための情報を入手する。
【０２１８】
・そして、図１７の１３０８のように、図１４の基地局４７０は、入手した情報を図１４の端末１０５０に、電波を用いて、送信し、図１４の端末１０５０は情報を得る。
【０２１９】
図１４の端末１０５０は、例えば、必要なとき、図１４の基地局４７０を介して、ネットワークから必要な情報を取得する。
【０２２０】
図１８は、上述した、図１４の「第３の機器１４００Ａ」、「第４の機器１４００Ｂ」、「端末１０５０」、「基地局（または、ＡＰ）４７０」が実施する処理の第２の例を示すフローチャートである。なお、図１８において、図１３と同様に動作するものについては、同一番号を付している。
【０２２１】
・まず、図１８の１８０１のように、図１４の第４の機器１４００Ｂは、図１６のフレーム構成の変調信号を送信する。
【０２２２】
・そして、図１８の１８０２のように、図１４の第４の機器１４００Ｂが送信した変調信号を受信し、図１４の端末１０５０は、端末１０５０がアクセスする基地局との通信に用いる暗号鍵を取得する。
【０２２３】
・次に、図１８の１８０３のように、図１４の第３の機器１４００Ａは、図１５のフレーム構成の変調信号を送信する。
【０２２４】
・そして、図１８の１８０４のように、図１４の第３の機器１４００Ａが送信した変調信号を受信し、図１４の端末１０５０は、端末がアクセスする基地局４７０のＳＳＩＤを取得する。
【０２２５】
・そして、図１４の端末１０５０は、図１４の基地局４７０との電波による接続を実施する（１３０４）。
【０２２６】
・図１４の基地局４７０の応答により、図１８の１３０５のように、図１４の端末１０５０は、図１４の基地局４７０との電波による接続が完了する。
【０２２７】
・そして、図１８の１３０６のように、図１４の端末１０５０は、基地局４７０に対し、接続先の情報を図１４の基地局４７０に、電波を用いて送信する。
【０２２８】
・すると、図１８の１３０７のように、図１４の基地局４７０は、ネットワークから、図１４の端末１０５０に送信するための情報を入手する。
【０２２９】
・そして、図１８の１３０８のように、図１４の基地局４７０は、入手した情報を図１４の端末１０５０に、電波を用いて、送信し、図１４の端末１０５０は情報を得る。
【０２３０】
図１４の端末１０５０は、例えば、必要なとき、図１４の基地局４７０を介して、ネットワークから必要な情報を取得する。
【０２３１】
以上のように、第３の機器、第４の機器から送信されたＳＳＩＤの情報、暗号鍵の情報をもとに、端末は、基地局（または、ＡＰ）と接続し、情報を取得することで、安全性の保証された基地局（または、ＡＰ）を介して情報を安全に入手することができるという効果を得ることができる。なぜなら、可視光の変調信号から情報を得た場合、可視光であるが故に情報元が安全かどうかの判断をユーザーが行いやすいからである。
【０２３２】
例えば、ＳＳＩＤを無線ＬＡＮが送信した電波の変調信号から取得した場合、ユーザーは電波を送信した機器の判別が難しい。このため、情報の安全性の確保という点では、可視光通信でＳＳＩＤを取得するほうが適している。
【０２３３】
なお、本実施の形態では、第４の機器が、暗号鍵の情報を送信する場合を説明しているが、例えば、基地局（または、ＡＰ）が暗号鍵を用いた暗号化された通信を行っていない場合、第４の機器は、暗号鍵の情報を送信せず、ＳＳＩＤに関する情報のみを送信し、暗号鍵に関する構成を削除するだけで、同様に実施することができる。
【０２３４】
また、本実施の形態のように、ＳＳＩＤに関する情報を送信する機器と暗号鍵に関する情報を送信する機器を別にすることで、端末は基地局とより安全な通信を実現することができる。
【０２３５】
例えば、図１９のような空間を考える。図１９に示すように、エリア＃１とエリア＃２があり、エリア＃１とエリア＃２の間には出入口と壁があるとする。そして、エリア＃１からエリア＃２の移動、および、エリア＃２からエリア＃１の移動は、出入口からのみできるものとする。
【０２３６】
図１９のエリア＃１に、基地局（または、ＡＰ）を設置するとともに、第３の機器、および、第４の機器を設置する。一方、エリア＃２には、第３の機器のみ設置するものとする。
【０２３７】
そして、基地局（または、ＡＰ）が送信する電波は、エリア＃１、エリア＃２いずれのエリアでも受信が可能であるとするものとする。このとき、第４の機器が設置されているエリア＃１に存在する端末は、基地局と通信が可能となる。また、エリア＃１で基地局との接続を行った端末が、エリア＃２に移動した場合についても、基地局と通信が可能である。
【０２３８】
そして、エリア＃１で基地局との接続を行った端末が、エリア＃１、エリア＃２以外のエリアに移動し、その後、エリア＃１、エリア＃２のいずれかの戻ってきた場合、基地局との通信が可能となる。
【０２３９】
一方で、エリア＃１に入ることができない端末は、暗号鍵を入手することができない。この場合、端末は、基地局（または、ＡＰ）のＳＳＩＤのみ知っていることになる。このとき、ＳＳＩＤのみ知っていることで享受することができるサービスによる基地局との通信を、端末が受けられるとしてもよい。
【０２４０】
したがって、エリア＃１に入ることができた端末のみが、基地局と通信を行うことができるようになり、これにより、通信の安全性を確保することができる。また、エリアごとに異なるサービスを提供することができるというシステムを構築することも可能となる。
【０２４１】
なお、端末が基地局と通信を行うための暗号鍵を（例えば、ある時間区間ごとに）変更することで、変更前の暗号鍵では、基地局と通信が行うことができなくなり、このような運用を行うことで、より安全な通信を行うことが可能となる。
【０２４２】
そして、暗号鍵は、前にも説明したように、無線ＬＡＮのＳＳＩＤのための暗号鍵であってもよいし、接続形態、サービス形態、ネットワークの接続範囲などを制限するための暗号鍵であってもよい（つまり、何らかの制限のために暗号鍵を導入すればよい。）。
【０２４３】
第３の機器の構成、第４の機器の構成は図１４に示す構成に限ったものではなく、また、端末の構成は、図１４に示す構成に限ったものではなく、基地局の接続先、構成方法についても図１４に限ったものではない。
【０２４４】
そして、本実施の形態では、図１４において、基地局（または、ＡＰ）が１つ配置されている場合について記載しているが、端末がアクセス可能な（安全な）基地局（または、ＡＰ）が複数存在していてもよい。このとき、図１４の第３の機器１４００Ａが送信するＳＳＩＤに関するシンボルに、これらの複数存在する基地局（または、ＡＰ）のそれぞれのＳＳＩＤの情報が含まれていてもよい。また、図１４の第４の機器１４００Ｂが送信する暗号鍵に関するシンボルに、これらの複数存在する基地局（または、ＡＰ）のそれぞれの基地局と接続するために用いる暗号鍵の情報が含まれていてもよい。そして、図１４の端末１０５０は、複数存在する基地局のＳＳＩＤの情報、暗号鍵の情報に基づいて、無線接続する基地局（または、ＡＰ）を選択してもよい（または、複数の基地局（または、ＡＰ）と接続してもよい。）
【０２４５】
例えば、基地局（または、ＡＰ）が３つあるとする。それぞれを、基地局＃Ａ、基地局＃Ｂ、基地局＃Ｃと名づける。そして、基地局＃ＡのＳＳＩＤを「ａｂｃｄｅｆ」とし、基地局＃ＢのＳＳＩＤを「ｇｈｉｊｋ」とし、基地局＃ＣのＳＳＩＤを「ｐｑｒｓｔｕ」とし、基地局＃Ａと接続するための暗号鍵を「１２３」、基地局＃Ｂと接続するための暗号鍵を「４５６」、基地局＃Ｃと接続するための暗号鍵を「７８９」とする。
【０２４６】
すると、第３の機器が送信する変調信号の図１５のフレーム構成におけるＳＳＩＤに関するシンボル６００−１は、「基地局＃ＡのＳＳＩＤ「ａｂｃｄｅｆ」」、「基地局＃ＢのＳＳＩＤ「ｇｈｉｊｋ」」、「基地局＃ＣのＳＳＩＤ「ｐｑｒｓｔｕ」」に関する情報を含んでいるものとする。そして、第４の機器が送信する変調信号の図１６のフレーム構成における暗号鍵に関するシンボル１１０１は、「基地局＃Ａと接続するための暗号鍵「１２３」」、「基地局＃Ｂと接続するための暗号鍵「４５６」」、「基地局＃Ｃと接続するための暗号鍵「７８９」」に関する情報を含んでいるものとする。
【０２４７】
そして、図１４の端末１０５０は、ＳＳＩＤに関するシンボル６００−１を受信し、「基地局＃ＡのＳＳＩＤ「ａｂｃｄｅｆ」」、「基地局＃ＢのＳＳＩＤ「ｇｈｉｊｋ」」、「基地局＃ＣのＳＳＩＤ「ｐｑｒｓｔｕ」」の情報を得、暗号鍵に関するシンボル１１０１を受信し、「基地局＃Ａと接続するための暗号鍵「１２３」」、「基地局＃Ｂと接続するための暗号鍵「４５６」」、「基地局＃Ｃと接続するための暗号鍵「７８９」」に関する情報を得る。そして、これらの情報に基づいて、図１４の端末１０５０は、無線接続する基地局（または、ＡＰ）を選択し、接続することになる。
【０２４８】
また、本実施の形態のように、ＬＥＤを例とする光源を利用して、端末がアクセスする基地局を設定することで、端末が送信する無線のための変調信号に、端末と基地局の無線通信の接続のための手続きを行う特別な設定のためのモードが不要となり、また、基地局が送信する変調信号に、端末と基地局の無線通信の接続のための手続きを行う特別な設定のためのモードが不要となり、無線通信のデータ伝送効率が向上するという効果を得ることができることになる。
【０２４９】
（実施の形態６）［基地局とＬＥＤが基地局に搭載］
図２０は、本実施の形態における通信システムの構成の一例を示す図である。図２０の通信システムは、例えば、ＬＥＤなどの可視光の光源、照明、光源、ライトを具備し、さらに、無線装置２００１を具備する基地局２０００と端末１０５０を含む。なお、図２０において、図１、図１０と同様に動作するものについては、同一番号を付している。
【０２５０】
なお、図２０の無線装置２００１と無線装置４５３の通信は、例えば、電波を用いるものとする。
【０２５１】
図２０の基地局（または、ＡＰ）２０００は、例えば、ＬＥＤなどの可視光、照明、光源、ライトを具備する。まず、ＬＥＤなどの可視光、照明、光源、ライトに関連する部分の動作について説明する。
【０２５２】
送信部１０２は、ＳＳＩＤに関する情報１００１−１、暗号鍵に関する情報１００１−２、データ１００２を入力とし、これらの入力信号に基づいて、（光）変調信号を生成し、変調信号１０３を出力する。そして、変調信号１０３は、例えば、光源１０４から送信される。
【０２５３】
次に、ＳＳＩＤに関する情報１００１−１、および、暗号鍵に関する情報１００１−２について説明を行う。
【０２５４】
まず、ＳＳＩＤに関する情報１００１−１について説明を行う。
【０２５５】
ＳＳＩＤに関する情報１００１−１は、図２０における基地局（または、ＡＰ）２０００の例えば、電波を用いる無線装置２００１のＳＳＩＤを示す情報である。つまり、「ＬＥＤなどの可視光、照明、光源、ライトに関連する部分」は、端末に対して安全な無線によるアクセス先である無線装置２００１へのアクセスを提供することができる。これにより、図２０の端末１０５０が、無線装置２００１から、安全に、情報を入手することができるという効果を得ることができる。
【０２５６】
一方、基地局２００におけるＬＥＤなどの可視光、照明、光源、ライトに関連する部分は、無線装置２００１に対してアクセスする端末を、基地局２００におけるＬＥＤなどの可視光、照明、光源、ライトに関連する部分が送信（照射）した光信号を受信可能な空間にある端末に制限することができる。なお、端末１０５０は、予め定められた方式で送信された光信号を受信した場合に、通知されたＳＳＩＤが安全な基地局のＳＳＩＤであると判別してもよいし、安全であるか否かを判別する処理を行ってもよい。例えば、基地局２００におけるＬＥＤなどの可視光、照明、光源、ライトに関連する部分が所定の識別子を光信号に含めて送信し、端末は受信した識別子に基づいて通知されたＳＳＩＤが安全な基地局のＳＳＩＤであるか否かを判断してもよい。
【０２５７】
なお、図２０では、基地局（または、ＡＰ）２０００のみ示しているが、例えば、基地局（または、ＡＰ）２０００以外の基地局（または、ＡＰ）が存在していても、図２０の端末１０５０は、基地局（または、ＡＰ）２０００にアクセスし、情報を入手することになる。
【０２５８】
暗号鍵に関する情報１００１−２は、図２０の端末１０５０が、図２０における無線装置２００１と通信を行うために必要となる暗号鍵に関する情報であり、図２０の端末１０５０は、ＬＥＤなどの可視光、照明、光源、ライトに関連する部分から、この情報を得ることで、無線装置２００１との間で、暗号化された通信を行うことが可能となる。図２０の端末１０５０は、基地局２００におけるＬＥＤなどの可視光、照明、光源、ライトに関連する部分が送信した変調信号を受信する。
【０２５９】
なお、図２０の端末１０５０において、図１の端末１５０、図１０の端末１０５０と同様に動作する構成要素については、同一の番号を付している。
【０２６０】
端末１０５０が具備する例えば、ＣＭＯＳ、または、有機ＣＭＯＳなどのイメージセンサーなど受光部１５１は、基地局２００におけるＬＥＤなどの可視光、照明、光源、ライトに関連する部分が送信した変調信号を受信する。そして、受信部１５３は、受光部１５１で受信した受信信号１５２を入力とし、受信信号の復調・誤り訂正復号などの処理を行い、受信データ１５４を出力する。
【０２６１】
データ解析部１５５は、受信データ１５４を入力とし、受信データから、例えば、接続先となる基地局の無線装置２００１のＳＳＩＤの情報１０５１、および、接続先となる基地局の無線装置２００１と通信を行うための暗号鍵の情報１０５２を出力する。例えば、無線ＬＡＮ（Local Area Network）では、暗号化の方式として、ＷＥＰ（Wired Equivalent Privacy）、ＷＰＡ（Wi-Fi Protected Access）、ＷＰＡ２（Wi-Fi Protected Access 2）（ＰＳＫ（Pre-Shared Key）モード、ＥＡＰ（Extended Authentication Protocol）モード）がある。なお、暗号化方法はこれに限ったものではない。
【０２６２】
表示部１５７は、ＳＳＩＤの情報１０５１、暗号鍵の情報１０５２を入力とし、例えば、端末が具備する無線装置４５３がアクセスする通信相手のＳＳＩＤ、および、暗号鍵を表示する。（この表示を本実施の形態における第１の表示と名づける。）
【０２６３】
例えば、第１の表示後、図２０の端末１０５０が具備する無線装置４５３は、ＳＳＩＤの情報１０５１、および、暗号鍵の情報１０５２を入力とし、基地局（または、ＡＰ）２０００の無線装置２００１との接続を確立する（例えば、接続は電波を利用するものとする）。このとき、基地局（または、ＡＰ）２０００の無線装置２００１も、図２０の端末１０５０が具備する無線装置４５３と通信を行う場合、変調信号を例えば電波を用いて送信する。
【０２６４】
その後、図２０の端末１０５０が具備する無線装置４５３は、データ１０５３、および、制御信号１０５４を入力とし、制御信号１０５４の制御にしたがい、データ１０５３に対し、変調を施し、変調信号を電波として送信する。そして、例えば、基地局（または、ＡＰ）２０００の無線装置２００１は、ネットワークに対し、データの送信（４７１）、およびネットワークからのデータの受信（４７２）を行う。その後、例えば、基地局（または、ＡＰ）２０００の無線装置２００１は、図２０の端末１０５０に対し、変調信号を電波として送信するものとする。図２０の端末１０５０が具備する無線装置４５３は、電波として受信した変調信号に対し、復調、誤り訂正復号などの処理を行い、受信データ１０５６を取得する。表示部１５７は、受信データ１０５６に基づいて、表示を行う。
【０２６５】
図１１は、図２０の基地局（または、ＡＰ）２０００の送信部１０２および光源１０４が送信する変調信号のフレーム構成の一例を示している。図１１において、横軸は時間であり、図２、図６と同様のシンボルについては、同一の番号を付しており、説明を省略する。
【０２６６】
ＳＳＩＤに関するシンボル６００−１は、図２０のＳＳＩＤに関する情報１００１−１を送信するためのシンボルであり、暗号鍵に関するシンボル１１０１は、図２０の暗号鍵に関する情報１００１−２を送信するためのシンボルである。データシンボル１１０２は、データ１００２を送信するためのシンボルである。
【０２６７】
基地局（または、ＡＰ）２０００の送信部１０２および光源１０４は、プリアンブル２０１、制御情報シンボル２０２、ＳＳＩＤに関するシンボル６００−１、暗号鍵に関するシンボル１１０１、データシンボル１１０２を送信する。なお、図２０の基地局（または、ＡＰ）２０００の送信部１０２および光源１０４は、図１１で記載しているシンボル以外のシンボルを含むフレームを送信してもよい。また、シンボルを送信する順番を含め、フレーム構成は図１１の構成に限ったものではない。
【０２６８】
図１２は、図２０の端末１０５０が具備する無線装置４５３が送信する変調信号のフレーム構成の一例を示している。図１２において、横軸は時間である。図１２に示すように、図２０の端末１０５０が具備する無線装置４５３は、例えば、プリアンブル１２０１を送信し、その後、制御情報シンボル１２０２、情報シンボル１２０３を送信する。
【０２６９】
このとき、プリアンブル１２０１は、図２０の端末１０５０の無線装置４５３が送信する変調信号を受信する基地局（または、ＡＰ）２０００の無線装置２００１が、例えば、信号検出、時間同期、フレーム同期、周波数同期、周波数オフセット推定などを行うために用いるシンボルである。
【０２７０】
制御情報シンボル１２０２は、例えば、変調信号を生成するのに使用した誤り訂正符号化方式の方法、変調方式に関する情報、フレーム構成に関する情報、送信方法に関する情報などのデータを含んでおり、基地局（または、ＡＰ）２０００の無線装置２００１は、この制御情報シンボル１２０２に含まれる情報に基づいて、変調信号の復調などを実施することになる。
【０２７１】
情報シンボル１２０３は、図２０の端末１０５０の無線装置４５３がデータを伝送するためのシンボルである。
【０２７２】
なお、図２０の端末１０５０の無線装置４５３は、図１２に記載しているシンボル以外のシンボルを含むフレームを送信してもよい（例えば、情報シンボルの途中でパイロットシンボル（リファレンスシンボル）が含まれるフレームなど）。また、シンボルを送信する順番を含め、フレーム構成は、図１２の構成に限ったものではない。そして、図１２において、周波数軸方向に複数のシンボルが存在していてもよい、つまり、複数の周波数（複数のキャリア）にシンボルが存在していてもよい。
【０２７３】
図７は、図２０の無線装置２００１が送信する変調信号のフレーム構成の一例を示している。図７において横軸は時間とする。図７に示すように、基地局４７０は、例えば、プリアンブル７０１を送信し、その後、制御情報シンボル７０２、情報シンボル７０３を送信するものとする。
【０２７４】
このとき、プリアンブル７０１は、図２０の無線装置２００１が送信する変調信号を受信する図２０の端末１０５０の無線装置４５３が、例えば、信号検出、時間同期、フレーム同期、周波数同期、周波数オフセット推定などを行うためのシンボルであるものとする。
【０２７５】
制御情報シンボル７０２は、例えば、変調信号を生成するのに使用した誤り訂正符号化方式の方法、変調方式に関する情報、フレーム構成に関する情報、送信方法に関する情報などのデータを含んでいるものとし、図２０の端末１０５０の無線装置４５３は、このシンボルの情報に基づいて、変調信号の復調などを実施することになる。
【０２７６】
情報シンボル７０３は、図２０の無線装置２００１がデータを伝送するためのシンボルである。
【０２７７】
なお、図２０の基地局２０００の無線装置２００１は、図７に記載しているシンボル以外のシンボルを含むフレームを送信してもよい（例えば、情報シンボルの途中でパイロットシンボル（リファレンスシンボル）が含まれるフレームなど）。また、シンボルを送信する順番を含め、フレーム構成は、図７の構成に限ったものではない。そして、図７において、周波数軸方向に複数のシンボルが存在していてもよい、つまり、複数の周波数（複数のキャリア）にシンボルが存在していてもよい。
【０２７８】
また、例えば、基地局２００におけるＬＥＤなどの可視光、照明、光源、ライトに関連する部分が送信する図１１のフレーム構成の変調信号は、規則的なタイミングで、例えば、繰り返し、送信する方法が考えられる。これにより、複数の端末が、上述で説明したような動作を実施することができることになる。
【０２７９】
図２１は、上述した、図２０の「ＬＥＤなどの可視光、照明、光源、ライトに関連する部分」、「端末１０５０」、「基地局（または、ＡＰ）の無線装置２００１」が実施する処理の一例を示すフローチャートである。
【０２８０】
・まず、図２１の１３０１のように、図２０のＬＥＤなどの可視光、照明、光源、ライトに関連する部分は、図１１のフレーム構成の変調信号を送信する。
【０２８１】
・そして、図２１の１３０２のように、図２０のＬＥＤなどの可視光、照明、光源、ライトに関連する部分が送信した変調信号を受信し、図２０の端末１０５０は、端末１０５０がアクセスする基地局のＳＳＩＤを取得する。
【０２８２】
・あわせて、図２１の１３０３のように、図２０の端末１０５０は、端末がアクセスする基地局４７０との通信に用いる暗号鍵を取得する。
【０２８３】
・そして、図２０の端末１０５０は、図２０の基地局２０００の無線装置２００１との電波による接続を実施する（１３０４）。
【０２８４】
・図２０の基地局２０００の無線装置２００１の応答により、図２１の１３０５のように、図２０の端末１０５０は、図２０の基地局２０００の無線装置２００１との接続が完了する。
【０２８５】
・そして、図２１の１３０６のように、図２０の端末１０５０は、図２０の基地局２０００の無線装置２００１に対し、接続先の情報を図２０の基地局２０００の無線装置２００１に、電波を用いて送信する。
【０２８６】
・すると、図２１の１３０７のように、図２０の基地局２０００の無線装置２００１は、ネットワークから、図２０の端末１０５０に送信するための情報を入手する。
【０２８７】
・そして、図２１の１３０８のように、図２０の基地局２０００の無線装置２００１は、入手した情報を図２０の端末１０５０に、電波を用いて、送信し、図２０の端末１０５０は情報を得る。
【０２８８】
図２０の端末１０５０は、例えば、必要なとき、図２０の基地局２０００の無線装置２００１を介して、ネットワークから必要な情報を取得する。
【０２８９】
以上のように、基地局におけるＬＥＤなどの可視光、照明、光源、ライトに関連する部分から送信されたＳＳＩＤの情報、暗号鍵の情報をもとに、端末は、基地局（または、ＡＰ）の無線装置と接続し、情報を取得することで、安全性の保証された基地局（または、ＡＰ）を介して情報を安全に入手することができるという効果を得ることができる。なぜなら、可視光の変調信号から情報を得た場合、可視光であるが故に情報元が安全かどうかの判断をユーザーが行いやすいからである。
【０２９０】
例えば、ＳＳＩＤを無線ＬＡＮが送信した電波の変調信号から取得した場合、ユーザーは電波を送信した機器の判別が難しい。このため、情報の安全性の確保という点では、可視光通信でＳＳＩＤを取得するほうが適している。
【０２９１】
なお、本実施の形態では、基地局におけるＬＥＤなどの可視光、照明、光源、ライトに関連する部分が、暗号鍵の情報を送信する場合を説明しているが、例えば、基地局（または、ＡＰ）の無線装置が暗号鍵を用いた暗号化された通信を行っていない場合、基地局におけるＬＥＤなどの可視光、照明、光源、ライトに関連する部分は、暗号鍵の情報を送信せず、ＳＳＩＤに関する情報のみを送信し、暗号鍵に関する構成を削除するだけで、同様に実施することができる。
【０２９２】
そして、図２０のように、基地局２０００の無線装置２００１のＳＳＩＤ、暗号鍵の書き換え可能な構成をとってもよい。例えば、図２０では、無線装置２００１の入力として、ＳＳＩＤに関する情報１００１−１、暗号鍵に関する情報１００１−２がある。基地局２０００の無線装置２００１は、入力であるＳＳＩＤに関する情報１００１−１、暗号鍵に関する情報１００１−２により、ＳＳＩＤと暗号鍵が書き換えられることになる。このようにすると、端末と基地局２０００の無線装置２００１の通信の安全性がさらに確保されることになる。（ただし、図２０では、基地局２０００の無線装置２００１はＳＳＩＤと暗号鍵の書き換え機能を有しているが、この機能がない構成であってもよい。）
【０２９３】
また、基地局におけるＬＥＤなどの可視光、照明、光源、ライトに関連する部分の構成は図２０に示す構成に限ったものではなく、また、端末の構成は、図２０に示す構成に限ったものではなく、基地局の無線装置の接続先、構成方法についても図２０に限ったものではない。
【０２９４】
そして、本実施の形態では、図２０において、基地局（または、ＡＰ）が１つ配置されている場合について記載しているが、端末がアクセス可能な（安全な）基地局（または、ＡＰ）の無線装置が複数存在していてもよい（なお、これらの基地局の無線装置と端末は、電波を用いて、変調信号の送受信を行うことになる。）。このとき、図２０のＬＥＤなどの可視光、照明、光源、ライトに関連する部分が送信するＳＳＩＤに関するシンボルに、これらの複数存在する基地局（または、ＡＰ）の無線装置のそれぞれのＳＳＩＤの情報が含まれていてもよい。また、図２０のＬＥＤなどの可視光、照明、光源、ライトに関連する部分が送信する暗号鍵に関するシンボルに、これらの複数存在する基地局（または、ＡＰ）の無線装置のそれぞれの基地局と接続するために用いる暗号鍵の情報が含まれていてもよい。そして、図２０の端末１０５０は、複数存在する基地局の無線装置のＳＳＩＤの情報、暗号鍵の情報に基づいて、（例えば、電波による）無線接続する基地局（または、ＡＰ）の無線装置を選択してもよい（または、複数の基地局（または、ＡＰ）の無線装置と接続してもよい。）
【０２９５】
例えば、無線装置を具備する基地局（または、ＡＰ）が３つあるとする。それぞれを、無線装置＃Ａ、無線装置＃Ｂ、無線装置＃Ｃと名づける。そして、無線装置＃ＡのＳＳＩＤを「ａｂｃｄｅｆ」とし、無線装置＃ＢのＳＳＩＤを「ｇｈｉｊｋ」とし、無線装置＃ＣのＳＳＩＤを「ｐｑｒｓｔｕ」とし、無線装置＃Ａと接続するための暗号鍵を「１２３」、無線装置＃Ｂと接続するための無線装置を「４５６」、無線装置＃Ｃと接続するための暗号鍵を「７８９」とする。
【０２９６】
すると、基地局２００におけるＬＥＤなどの可視光、照明、光源、ライトに関連する部が送信する変調信号の図１１のフレーム構成におけるＳＳＩＤに関するシンボル６００−１は、「無線装置＃ＡのＳＳＩＤ「ａｂｃｄｅｆ」」、「無線装置＃ＢのＳＳＩＤ「ｇｈｉｊｋ」」、「無線装置＃ＣのＳＳＩＤ「ｐｑｒｓｔｕ」」に関する情報を含んでいるものとする。そして、図１１のフレーム構成における暗号鍵に関するシンボル１１０１は、「無線装置＃Ａと接続するための暗号鍵「１２３」」、「無線装置＃Ｂと接続するための暗号鍵「４５６」」、「無線装置＃Ｃと接続するための暗号鍵「７８９」」に関する情報を含んでいるものとする。
【０２９７】
そして、図２０の端末１０５０は、ＳＳＩＤに関するシンボル６００−１を受信し、「無線装置＃ＡのＳＳＩＤ「ａｂｃｄｅｆ」」、「無線装置＃ＢのＳＳＩＤ「ｇｈｉｊｋ」」、「無線装置＃ＣのＳＳＩＤ「ｐｑｒｓｔｕ」」の情報を得、暗号鍵に関するシンボル１１０１を受信し、「無線装置＃Ａと接続するための暗号鍵「１２３」」、「無線装置＃Ｂと接続するための暗号鍵「４５６」」、「無線装置＃Ｃと接続するための暗号鍵「７８９」」に関する情報を得る。そして、これらの情報に基づいて、図２０の端末１０５０は、（例えば、電波による）無線接続する基地局（または、ＡＰ）を選択し、接続することになる。
【０２９８】
また、本実施の形態のように、ＬＥＤを例とする光源を利用して、端末がアクセスする基地局の無線装置を設定することで、端末が送信する無線のための変調信号に、端末と基地局の無線通信の接続のための手続きを行う特別な設定のためのモードが不要となり、また、基地局が送信する変調信号に、端末と基地局の無線通信の接続のための手続きを行う特別な設定のためのモードが不要となり、無線通信のデータ伝送効率が向上するという効果を得ることができることになる。
【０２９９】
そして、暗号鍵は、前にも説明したように、無線ＬＡＮのＳＳＩＤのための暗号鍵であってもよいし、接続形態、サービス形態、ネットワークの接続範囲などを制限するための暗号鍵であってもよい（つまり、何らかの制限のために暗号鍵を導入すればよい。）。
【０３００】
（実施の形態７）［基地局が複数あり、アクセス制御を行う。］
図２２は、本実施の形態における通信システムの構成の一例を示す図である。図２２の通信システムは、例えば、ＬＥＤなどの可視光の光源、照明、光源、ライトを具備する機器１０００、端末１０５０、端末１０５０と通信を行う例えば４７０−１の基地局＃１、４７０−２の基地局＃２、４７０−３の基地局＃３を含む。なお、図２２において、図１、図４、図１０と同様に動作するものについては同一番号を付している。
【０３０１】
図２２の機器１０００は、例えば、ＬＥＤなどの可視光、照明、光源、ライトを具備する。なお、この機器１０００を本実施の形態における「第５の機器」と名づける。なお、図２２の無線装置４５３と４７０−１の基地局＃１の通信、無線装置４５３と４７０−２の基地局＃２の通信、無線装置４５３と４７０−３の基地局＃の通信は、例えば、電波を用いるものとする。
【０３０２】
図２２の第５の機器１０００において、送信部１０２は、ＳＳＩＤに関する情報１００１−１、暗号鍵に関する情報１００１−２、データ１００２を入力とし、これらの入力信号に基づいて、（光）変調信号を生成し、変調信号１０３を出力する。そして、変調信号１０３は、例えば、光源１０４から送信される。
【０３０３】
次に、ＳＳＩＤに関する情報１００１−１、および、暗号鍵に関する情報１００１−２について説明を行う。
【０３０４】
まず、ＳＳＩＤに関する情報１００１−１について説明を行う。
【０３０５】
ＳＳＩＤに関する情報１００１−１は、例えば、図２２における４７０−１の基地局（または、ＡＰ）のＳＳＩＤを示す情報、および、４７０−２の基地局（または、ＡＰ）のＳＳＩＤを示す情報、および、４７０−３の基地局（または、ＡＰ）のＳＳＩＤを示す情報である。なお、例として、４７０−１、４７０−２、４７０−３の基地局（または、ＡＰ）は、変調信号を電波で送信し、電波の変調信号を受信するものとする。つまり、第５の機器１０００は、端末に対して安全なアクセス先である基地局４７０−１、４７０−２、４７０−３へのアクセスを提供することができる。これにより、図２２の端末１０５０が、基地局（または、ＡＰ）４７０−１、４７０−２、４７０−３から、安全に、情報を入手することができるという効果を得ることができる。
【０３０６】
一方、機器１０００は、基地局４７０−１、４７０−２、４７０−３に対してアクセスする端末を、機器１０００が送信（照射）した光信号を受信可能な空間にある端末に制限することができる。なお、端末１０５０は、予め定められた方式で送信された光信号を受信した場合に、通知されたＳＳＩＤが安全な基地局のＳＳＩＤであると判別してもよいし、安全であるか否かを判別する処理を行ってもよい。例えば、機器１０００が所定の識別子を光信号に含めて送信し、端末は受信した識別子に基づいて通知されたＳＳＩＤが安全な基地局のＳＳＩＤであるか否かを判断してもよい。
【０３０７】
なお、図２２では、基地局（または、ＡＰ）４７０−１、４７０−２、４７０−３を示しているが、例えば、基地局（または、ＡＰ）４７０−１、４７０−２、４７０−３以外の基地局（または、ＡＰ）が存在していてもよい。
【０３０８】
暗号鍵に関する情報１００１−２は、図２２の端末１０５０が、図２２における基地局（または、ＡＰ）４７０−１、４７０−２、４７０−３と通信を行うために必要となる暗号鍵に関する情報であり、図２２の端末１０５０は、図２２の第５の機器１０００から、この情報を得ることで、「端末と基地局（または、ＡＰ）４７０−１との間」、「端末と基地局（または、ＡＰ）４７０−２との間」、「端末と基地局（または、ＡＰ）４７０−３との間」で、暗号化された通信を行うことが可能となる。
【０３０９】
図２２の端末１０５０は、第５の機器１０００が送信した変調信号を受信する。なお、図２２の端末１０５０において、図１の端末１５０、図４の端末４５０と同様に動作する構成要素については、同一の番号を付している。
【０３１０】
端末１０５０が具備する例えば、ＣＭＯＳ、または、有機ＣＭＯＳなどのイメージセンサーなど受光部１５１は、第５の機器１０００が送信した変調信号を受信する。そして、受信部１５３は、受光部１５１で受信した受信信号１５２を入力とし、受信信号の復調・誤り訂正復号などの処理を行い、受信データ１５４を出力する。
【０３１１】
データ解析部１５５は、受信データ１５４を入力とし、受信データから、例えば、接続先となる基地局（４７０−１、４７０−２、４７０−３）のＳＳＩＤの情報１０５１、および、接続先となる基地局（４７０−１、４７０−２、４７０−３）と通信を行うための暗号鍵の情報１０５２を出力する。例えば、無線ＬＡＮ（Local Area Network）では、暗号化の方式として、ＷＥＰ（Wired Equivalent Privacy）、ＷＰＡ（Wi-Fi Protected Access）、ＷＰＡ２（Wi-Fi Protected Access 2）（ＰＳＫ（Pre-Shared Key）モード、ＥＡＰ（Extended Authentication Protocol）モード）がある。なお、暗号化方法はこれに限ったものではない。
【０３１２】
表示部１５７は、ＳＳＩＤの情報１０５１、暗号鍵の情報１０５２を入力とし、例えば、端末が具備する無線装置４５３がアクセスする通信相手のＳＳＩＤ、および、暗号鍵を表示する。（この表示を本実施の形態における第１の表示と名づける。）
【０３１３】
例えば、第１の表示後、図２２の端末１０５０が具備する無線装置４５３は、ＳＳＩＤの情報１０５１、および、暗号鍵の情報１０５２を入力とし、基地局（または、ＡＰ）４７０−１、４７０−２、４７０−３のいずれかとの接続を確立する（例えば、接続は電波を利用するものとする）。このとき、接続された基地局も、図２２の端末１０５０が具備する無線装置４５３と通信を行う場合、変調信号を例えば電波を用いて送信する。
【０３１４】
その後、図２２の端末１０５０が具備する無線装置４５３は、データ１０５３、および、制御信号１０５４を入力とし、制御信号１０５４の制御にしたがい、データ１０５３に対し、変調を施し、変調信号を電波として送信する。
【０３１５】
そして、例えば、接続された基地局（または、ＡＰ）は、ネットワークに対し、データの送信（４７１−１、４７１−２、４７１−３のいずれか）、およびネットワークからのデータの受信（４７２−１、４７２−２、４７２−３のいずれか）を行う。その後、例えば、接続された基地局は、図２２の端末１０５０に対し、変調信号を電波として送信するものとする。
【０３１６】
図２２の端末１０５０が具備する無線装置４５３は、電波として受信した変調信号に対し、復調、誤り訂正復号などの処理を行い、受信データ１０５６を取得する。表示部１５７は、受信データ１０５６に基づいて、表示を行う。
【０３１７】
図２２の第５の機器１０００が送信する変調信号として、図２２の場合、３種類のフレーム構成が存在するものとする。図２３は３種類のフレーム構成のうちの１つである２３００−１フレーム＃１であり、図２４は３種類のフレーム構成のうちの１つである２３００−２フレーム構成＃２であり、図２５は３種類のフレーム構成のうちの１つである２３００−３フレーム構成＃３である。
【０３１８】
図２３は、図２２の第５の機器１０００が送信する変調信号の２３００−１フレーム＃１の構成の例を示している。図２３において、横軸は時間であり、図２、図１１と同様のシンボルについては、同一番号を付しており、説明を省略する。図２３の２３００−１フレーム＃１は、図２２の４７０−１の基地局＃１のＳＳＩＤの情報と図２２の４７０−１の基地局＃１の暗号鍵（４７０−１の基地局＃１へアクセスするための暗号鍵）の情報を送信するためのフレームである。
【０３１９】
図２３におけるＳＳＩＤに関するシンボル２３０１−１は、図２２におけるＳＳＩＤに関する情報１００１−１を送信するためのシンボルである。そして、図２３におけるＳＳＩＤに関するシンボル２３０１−１は、図２２の第５の機器１０００が図２２の４７０−１の基地局＃１のＳＳＩＤを送信するためのシンボルである。
【０３２０】
図２３における暗号鍵に関するシンボル２３０２−１は、図２２の暗号鍵に関する情報１００１−２を送信するためのシンボルである。そして、図２３における暗号鍵に関するシンボル２３０２−１は、図２２の第５の機器１０００が図２２の４７０−１の基地局＃１の暗号鍵（４７０−１の基地局＃１へアクセスするための暗号鍵）を送信するためのシンボルである。
【０３２１】
第５の機器１０００は、プリアンブル２０１、制御情報シンボル２０２、ＳＳＩＤに関するシンボル２３０１−１、暗号鍵に関するシンボル２３０２−１、データシンボル１１０２を送信する。なお、図２２の第５の機器１０００は、図２３で記載しているシンボル以外のシンボルを含む２３００−１フレーム＃１を送信してもよい。また、シンボルの送信する順番を含め、２３００−１フレーム＃１の構成は図２３の構成に限ったものではない。
【０３２２】
図２４は、図２２の第５の機器１０００が送信する変調信号の２３００−２フレーム＃２の構成の例を示している。図２４において、横軸は時間であり、図２、図１１と同様のシンボルについては、同一番号を付しており、説明は省略する。図２４の２３００−２フレーム＃２は、図２２の４７０−２の基地局＃２のＳＳＩＤの情報と図２２の４７０−２の基地局＃２の暗号鍵（４７０−２の基地局＃２へアクセスするための暗号鍵）の情報を送信するためのフレームである。
【０３２３】
図２４におけるＳＳＩＤに関するシンボル２３０１−２は、図２２におけるＳＳＩＤに関する情報１００１−１を送信するためのシンボルである。そして、図２４におけるＳＳＩＤに関するシンボル２３０１−２は、図２２の第５の機器１０００が図２２の４７０−２の基地局＃２のＳＳＩＤを送信するためのシンボルである。
【０３２４】
図２４における暗号鍵に関するシンボル２３０２−２は、図２２の暗号鍵に関する情報１００１−２を送信するためのシンボルである。そして、図２４における暗号鍵に関するシンボル２３０２−２は、図２２の第５の機器１０００が図２２の４７０−２の基地局＃２の暗号鍵（４７０−２の基地局＃２へアクセスするための暗号鍵）を送信するためのシンボルである。
【０３２５】
第５の機器１０００は、プリアンブル２０１、制御情報シンボル２０２、ＳＳＩＤに関するシンボル２３０１−２、暗号鍵に関するシンボル２３０２−２、データシンボル１１０２を送信する。なお、図２２の第５の機器１０００は、図２４で記載しているシンボル以外のシンボルを含む２３００−２フレーム＃２を送信してもよい。また、シンボルの送信する順番を含め、２３００−２フレーム＃２の構成は図２４の構成に限ったものではない。
【０３２６】
図２５は、図２２の第５の機器１０００が送信する変調信号の２３００−３フレーム＃３の構成の例を示している。図２５において、横軸は時間であり、図２、図１１と同様のシンボルについては、同一番号を付しており、説明は省略する。図２５の２３００−３フレーム＃３は、図２２の４７０−３の基地局＃３のＳＳＩＤの情報と図２２の４７０−３の基地局＃３の暗号鍵（４７０−３の基地局＃３へアクセスするための暗号鍵）の情報を送信するためのフレームである。
【０３２７】
図２５は、図２２の第５の機器１０００が送信する変調信号の２３００−３フレーム＃３の構成の例を示している。図２５において、横軸は時間であり、図２、図１１と同様のシンボルについては、同一番号を付しており、説明は省略する。図２５の２３００−３フレーム＃３は、図２２の４７０−３の基地局＃３のＳＳＩＤの情報と図２２の４７０−３の基地局＃３の暗号鍵（４７０−３の基地局＃３へアクセスするための暗号鍵）の情報を送信するためのフレームである。
【０３２８】
図２５におけるＳＳＩＤに関するシンボル２３０１−３は、図２２におけるＳＳＩＤに関する情報１００１−１を送信するためのシンボルである。そして、図２５におけるＳＳＩＤに関するシンボル２３０１−３は、図２２の第５の機器１０００が図２２の４７０−３の基地局＃３のＳＳＩＤを送信するためのシンボルである。
【０３２９】
図２５における暗号鍵に関するシンボル２３０２−３は、図２２の暗号鍵に関する情報１００１−２を送信するためのシンボルである。そして、図２５における暗号鍵に関するシンボル２３０２−３は、図２２の第５の機器１０００が図２２の４７０−３の基地局＃３の暗号鍵（４７０−３の基地局＃３へアクセスするための暗号鍵）を送信するためのシンボルである。
【０３３０】
第５の機器１０００は、プリアンブル２０１、制御情報シンボル２０２、ＳＳＩＤに関するシンボル２３０１−３、暗号鍵に関するシンボル２３０２−３、データシンボル１１０２を送信する。なお、図２２の第５の機器１０００は、図２５で記載しているシンボル以外のシンボルを含む２３００−３フレーム＃３を送信してもよい。また、シンボルの送信する順番を含め、２３００−３フレーム＃３の構成は図２５の構成に限ったものではない。
【０３３１】
図２６は、図２２の第５の機器１０００が、「図２３の２３００−１のフレーム＃１」、「図２４の２３００−２のフレーム＃２」、「図２５の２３００−３のフレーム＃３」を送信する際の送信方法の例を示しており、図２６において、横軸は時間であるものとする。
【０３３２】
図２６において、「フレーム＃１群送信」２６０１−１、２６０１−２では、図２３の２３００−１のフレーム＃１を１つ以上送信する。そして、「フレーム＃２群送信」２６０２−１、２６０２−２では、図２４の２３００−２のフレーム＃２を１つ以上送信する。「フレーム＃３群送信」２６０３−１、２６０３−２では、図２５の２３００−３のフレーム＃３を１つ以上送信する。
【０３３３】
このときの詳しい説明を以下で行う。
【０３３４】
「「フレーム＃１群送信」２６０１−１、２６０１−２では、図２３の２３００−１のフレーム＃１を１つ以上送信する。」と記載したが、この点について説明する。
【０３３５】
例えば、受光部１５１において、ＣＭＯＳ、または、有機ＣＭＯＳなどのイメージセンサーを用いた場合、動画や静止画におけるフレーム単位で、受信信号を処理する可能性がある。なお、例えば、動画において、「４Ｋ  ３０ｐ」と記載されていた場合、１フレームの画素数は３８４０×２１６０であり、１秒間のフレーム数は３０であることを意味している。
【０３３６】
したがって、図２２の第５の機器１０００が、１フレーム内に「図２３の２３００−１のフレーム＃１」、「図２４の２３００−２のフレーム＃２」、「図２５の２３００−３のフレーム＃３」が存在するような構成の変調信号を送信すると、図２２の端末１０５０は、複数の基地局からアクセスする基地局の選択が難しくなる。
【０３３７】
そこで、図２６のようなフレーム構成を提案する。
【０３３８】
第１−１の方法：
第１−１の方法として、「フレーム＃１群送信」２６０１−１、２６０１−２には、図２３の２３００−１のフレーム＃１が複数存在することで、「フレーム＃１群送信」が占める時間区間が、動画や静止画におけるフレームよりも長い時間になるようにするものとする。
【０３３９】
このようにすることで、図２２の端末１０５０が、第５の機器１０００より、動画や静止画における１フレーム内に「図２３の２３００−１のフレーム＃１」、「図２４の２３００−２のフレーム＃２」、「図２５の２３００−３のフレーム＃３」が存在するような変調信号を受信することを防ぐことができるため、図２２の端末１０５０は、複数の基地局からアクセスする基地局の選択を容易に行うことができるようになる。
【０３４０】
第２−１の方法：
第２−１の方法として、図２３の２３００−１のフレーム＃１が占める時間区間が、動画や静止画におけるフレームよりも長い時間になるようにするものとする。例えば、図２３におけるＳＳＩＤに関するシンボル２３０１−１には、「基地局＃１のＳＳＩＤの情報」が複数含まれており（「基地局＃１のＳＳＩＤの情報」が繰り返し含まれている）、また、暗号鍵に関するシンボル２３０２−１には、「基地局＃１の暗号鍵の情報（基地局＃１と接続するための暗号鍵の情報）」が複数含まれている（「基地局＃１の暗号鍵の情報（基地局＃１と接続するための暗号鍵の情報）」が繰り返し含まれている）構成であるとよい。
【０３４１】
このようにすることで、図２２の端末１０５０が、第５の機器１０００より、動画や静止画における１フレーム内に「図２３の２３００−１のフレーム＃１」、「図２４の２３００−２のフレーム＃２」、「図２５の２３００−３のフレーム＃３」が存在するような変調信号を受信することを防ぐことができるため、図２２の端末１０５０は、複数の基地局からアクセスする基地局の選択を容易に行うことができるようになる。
【０３４２】
同様に考えると、「フレーム＃２群送信」２６０２−１、２６０２−２は、以下のような構成であるとよい。
【０３４３】
第１−２の方法：
第１−２の方法として、「フレーム＃２群送信」２６０２−１、２６０２−２には、図２４の２３００−２のフレーム＃２が複数存在することで、「フレーム＃２群送信」が占める時間区間が、動画や静止画におけるフレームよりも長い時間になるようにするものとする。
【０３４４】
第２−２の方法：
第２−２の方法として、図２４の２３００−２のフレーム＃２が占める時間区間が、動画や静止画におけるフレームよりも長い時間になるようにするものとする。例えば、図２４におけるＳＳＩＤに関するシンボル２３０１−２には、「基地局＃２のＳＳＩＤの情報」が複数含まれており（「基地局＃２のＳＳＩＤの情報」が繰り返し含まれている）、また、暗号鍵に関するシンボル２３０２−２には、「基地局＃２の暗号鍵の情報（基地局＃２と接続するための暗号鍵の情報）」が複数含まれている（「基地局＃２の暗号鍵の情報（基地局＃２と接続するための暗号鍵の情報）」が繰り返し含まれている）構成であるとよい。
【０３４５】
同様に考えると、「フレーム＃３群送信」２６０３−１、２６０３−２は、以下のような構成であるとよい。
【０３４６】
第１−３の方法：
第１−３の方法として、「フレーム＃３群送信」２６０３−１、２６０３−２には、図２５の２３００−３のフレーム＃３が複数存在することで、「フレーム＃３群送信」が占める時間区間が、動画や静止画におけるフレームよりも長い時間になるようにするものとする。
【０３４７】
第２−３の方法：
第２−３の方法として、図２５の２３００−３のフレーム＃３が占める時間区間が、動画や静止画におけるフレームよりも長い時間になるようにするものとする。例えば、図２５におけるＳＳＩＤに関するシンボル２３０１−３には、「基地局＃３のＳＳＩＤの情報」が複数含まれており（「基地局＃３のＳＳＩＤの情報」が繰り返し含まれている）、また、暗号鍵に関するシンボル２３０２−３には、「基地局＃３の暗号鍵の情報（基地局＃３と接続するための暗号鍵の情報）」が複数含まれている（「基地局＃３の暗号鍵の情報（基地局＃３と接続するための暗号鍵の情報）」が繰り返し含まれている）構成であるとよい。
【０３４８】
次に、図２３から図２６のように図２２の第５の機器１０００がフレームを送信した場合の効果について説明する。
【０３４９】
図２７における２７００のエリアについて考える。○２７０１−１、２７０１−２、２７０１−３、２７０１−４、２７０１−５、２７０１−６、２７０１−７、２７０１−８、２７０１−８、２７０１−９、２７０１−１０に、図２２における第５の機器１０００を配置する。そして、◎２７０２−１に図２２の４７０−１の基地局＃１を配置し、◎２７０２−２に図２２の４７０−２の基地局＃２を配置し、◎２７０２−３に図２２の４７０−３の基地局＃３を配置するものとする。
【０３５０】
そして、例えば、２７０３の内側のエリアに図２２の１０５０の構成を具備する端末が９９台存在するものとする。
【０３５１】
このとき、例えば、第５の機器２７０１−５、２７０１−１０がともに、４７０−３の基地局＃３のＳＳＩＤの情報を送信し、また、４７０−３の基地局＃３のアクセスのための暗号鍵の情報を送信するものとする（第５の機器２７０１−５、２７０１−１０の最も近い基地局が４７０−３の基地局＃３であるため）。
【０３５２】
すると、図２２の１０５０の構成を具備する端末９９台は、すべて図２２の４７０−３の基地局＃３にアクセスすることになり、図２２の４７０−３の基地局＃３にアクセス困難な図２２の１０５０の構成を具備する端末が存在する可能性が高い。
【０３５３】
この点を考慮すると、９９台の図２２の１０５０の構成を具備する端末が、できる限り均等に、図２２の４７０−１の基地局＃１（２７０２−１）、図２２の４７０−２の基地局＃２（２７０２−２）、４７０−３の基地局＃３（２７０２−３）にアクセスするような制御を行うことで、前に述べたような、基地局にアクセス困難な端末の存在を少なくすることができるという効果を得ることができる。
【０３５４】
本実施の形態の、図２３から図２６のように図２２の第５の機器１０００がフレームを送信した場合、９９台の図２２の１０５０の構成を具備する端末が、図２２の第５の機器１０００にアクセスするタイミングは一般的には異なることになるので、「９９台の図２２の１０５０の構成を具備する端末が、できる限り均等に、図２２の４７０−１の基地局＃１（２７０２−１）、図２２の４７０−２の基地局＃２（２７０２−２）、４７０−３の基地局＃３（２７０２−３）にアクセスするような制御を行う」ことになる。したがって、前に述べたような、基地局にアクセス困難な端末の存在を少なくすることができるという効果を得ることができる。つまり、複数の端末からのアクセスが何れかの基地局に集中してしまうことを避けることができるという効果を得ることができる。
【０３５５】
なお、図２６に、図２２の第５の機器１０００が、「図２３の２３００−１のフレーム＃１」、「図２４の２３００−２のフレーム＃２」、「図２５の２３００−３のフレーム＃３」を送信する際の送信方法の例を示しているが、図２２の第５の機器１０００が、「図２３の２３００−１のフレーム＃１」、「図２４の２３００−２のフレーム＃２」、「図２５の２３００−３のフレーム＃３」を送信する際の送信方法はこれに限ったものではない。
【０３５６】
例えば、図２６では、「フレーム＃１群送信」「フレーム＃２群送信」「フレーム＃３群送信」の順に繰り返し送信する構成を示しているが、「フレーム＃１群送信」「フレーム＃２群送信」「フレーム＃３群送信」は、図２６のような順番で送信する必要はない。例えば、「フレーム群１送信」「フレーム群＃２送信」「フレーム群＃３送信」を時間的にランダムに送信してもよいし、「フレーム群１送信」「フレーム群＃２送信」「フレーム群＃３送信」の送信の順番を、図２６とは異なる規則的な順番で送信してもよい。少なくとも、図２２の第５の機器１０００が、「フレーム＃１群送信」「フレーム＃２群送信」「フレーム＃３群送信」を送信していればよいことになる。例えば、第５の機器１０００は、「フレーム群１送信」「フレーム群＃２送信」「フレーム群＃３送信」を時間的にランダムに送信する場合には、任意のタイミングごとに乱数を発生させ、その乱数によって指定されるフレーム群を送信する。なお、乱数の利用は、一例であって、これに限定されるものではない。
【０３５７】
また、図２６では、「フレーム＃１群送信」「フレーム＃２群送信」「フレーム＃３群送信」を連続的に送信しているが、必ずしも連続的に送信しなくてもよく、例えば、図２６において、フレーム＃１群２６０１−１とフレーム＃２群送信２６０２−２に時間的な間隔があってもよい。
【０３５８】
そして、図２６では、「フレーム＃１群送信」「フレーム＃２群送信」「フレーム＃３群送信」のみで構成しているが、他のシンボル、他のフレームが存在していてもよい。さらに、図２６、および、図２２において、基地局を３台としているが、基地局の数は、これに限ったものではなく、基地局を２台以上としていれば、基地局が３台のときと同様に動作することが可能である。したがって、例えば、基地局Ｎ台（Ｎは２以上の整数）ある場合、図２６のような送信を行う場合、「フレーム＃ｋ群送信」が存在することになる。なお、ｋは１以上Ｎ以下の整数となる。そして、「フレーム＃ｋ群送信」には、ＳＳＩＤに関するシンボル（基地局＃ｋのＳＳＩＤの情報）が含まれており、また、暗号鍵に関するシンボル（基地局＃ｋのアクセスのための暗号鍵の情報）が含まれていることになる。
【０３５９】
図１２は、図２２の端末１０５０が具備する無線装置４５３が送信する変調信号のフレーム構成の一例を示している。図１２において、横軸は時間である。図１２に示すように、図２２の端末１０５０が具備する無線装置４５３は、例えば、プリアンブル１２０１を送信し、その後、制御情報シンボル１２０２、情報シンボル１２０３を送信する。
【０３６０】
このとき、プリアンブル１２０１は、図２２の端末１０５０の無線装置４５３が送信する変調信号を受信する基地局（または、ＡＰ）４７０−１、４７０−２、４７０−３が、例えば、信号検出、時間同期、フレーム同期、周波数同期、周波数オフセット推定などを行うために用いるシンボルである。
【０３６１】
制御情報シンボル１２０２は、例えば、変調信号を生成するのに使用した誤り訂正符号化方式の方法、変調方式に関する情報、フレーム構成に関する情報、送信方法に関する情報などのデータを含んでおり、基地局（または、ＡＰ）４７０−１、４７０−２、４７０−３は、この制御情報シンボル１２０２に含まれる情報に基づいて、変調信号の復調などを実施することになる。
【０３６２】
情報シンボル１２０３は、図２２の端末１０５０の無線装置４５３がデータを伝送するためのシンボルである。
【０３６３】
なお、図２２の端末１０５０の無線装置４５３は、図１２に記載しているシンボル以外のシンボルを含むフレームを送信してもよい（例えば、情報シンボルの途中でパイロットシンボル（リファレンスシンボル）が含まれるフレームなど）。また、シンボルを送信する順番を含め、フレーム構成は、図１２の構成に限ったものではない。そして、図１２において、周波数軸方向に複数のシンボルが存在していてもよい、つまり、複数の周波数（複数のキャリア）にシンボルが存在していてもよい。
【０３６４】
図７は、図２２の基地局４７０−１、４７０−２、４７０−３が送信する変調信号のフレーム構成の一例を示している。図７において横軸は時間とする。図７に示すように、基地局４７０−１、４７０−２、４７０−３は、例えば、プリアンブル７０１を送信し、その後、制御情報シンボル７０２、情報シンボル７０３を送信するものとする。
【０３６５】
このとき、プリアンブル７０１は、基地局４７０−１、４７０−２、４７０−３が送信する変調信号を受信する図２２の端末１０５０の無線装置４５３が、例えば、信号検出、時間同期、フレーム同期、周波数同期、周波数オフセット推定などを行うためのシンボルであるものとする。
【０３６６】
制御情報シンボル７０２は、例えば、変調信号を生成するのに使用した誤り訂正符号化方式の方法、変調方式に関する情報、フレーム構成に関する情報、送信方法に関する情報などのデータを含んでいるものとし、図２２の端末１０５０の無線装置４５３は、このシンボルの情報に基づいて、変調信号の復調などを実施することになる。
【０３６７】
情報シンボル７０３は、図２２の基地局（または、ＡＰ）４７０−１、４７０−２、４７０−３がデータを伝送するためのシンボルである。
【０３６８】
なお、図２２の基地局（または、ＡＰ）４７０−１、４７０−２、４７０−３は、図７に記載しているシンボル以外のシンボルを含むフレームを送信してもよい（例えば、情報シンボルの途中でパイロットシンボル（リファレンスシンボル）が含まれるフレームなど）。また、シンボルを送信する順番を含め、フレーム構成は、図７の構成に限ったものではない。そして、図７において、周波数軸方向に複数のシンボルが存在していてもよい、つまり、複数の周波数（複数のキャリア）にシンボルが存在していてもよい。
【０３６９】
図２８は、上述した、図２２の「第５の機器１０００」、「端末１０５０」、「基地局＃Ｘ（または、ＡＰ＃Ｘ）」が実施する処理の一例を示すフローチャートである。なお、Ｘは１または２または３となる。
【０３７０】
・まず、図２８の２８０１のように、図２２の第５の機器１０００は、図２６のフレーム構成の変調信号を送信する。
【０３７１】
・そして、図２８の２８０２のように、図２２の第５の機器１０００が送信した変調信号を受信し、図２２の端末１０５０は、端末１０５０がアクセスする基地局を図２２の４７０−１の基地局＃１、４７０−２の基地局＃２、４７０−３の基地局＃３から選択する。
【０３７２】
なお、この点について説明する。図２２の端末１０５０は、基地局とのアクセスを行おうとし、図２２の第５の機器１０００が送信した変調信号を受信する。このとき、例えば、動画または静止画のある１フレームにおいて、図２６における「フレーム＃１群送信」「フレーム＃２群送信」「フレーム＃３群送信」のいずれかを得ることになる。そして、得られた基地局の情報（例えばＳＳＩＤ）から、図２２の端末１０５０は、端末１０５０がアクセスする基地局を図２２の４７０−１の基地局＃１、４７０−２の基地局＃２、４７０−３の基地局＃３のいずれかに決定することになる。
【０３７３】
例えば、端末１０５０は、「フレーム＃１群送信」「フレーム＃２群送信」「フレーム＃３群送信」のうち、最初に受信したフレーム群送信を選択し、そのフレーム群送信の基地局の情報（例えばＳＳＩＤ）から、端末１０５０がアクセスする基地局を決定する。
【０３７４】
・図２８の２８０３のように、図２２の第５の機器１０００が送信した変調信号を受信し、図２２の端末１０５０は、端末１０５０がアクセスする基地局＃ＸのＳＳＩＤを取得する。
【０３７５】
・あわせて、図２８の２８０４のように、図２２の端末１０５０は、端末がアクセスする基地局＃Ｘとの通信に用いる暗号鍵を取得する。
【０３７６】
・そして、図２２の端末１０５０は、基地局＃Ｘとの電波による接続を実施する（２８０５）。
【０３７７】
・基地局＃Ｘの応答により、図２８の２８０６のように、図２２の端末１０５０は、基地局＃Ｘとの接続が完了する。
【０３７８】
・そして、図２８の２８０７のように、図２２の端末１０５０は、基地局＃Ｘに対し、接続先の情報を、電波を用いて送信する。
【０３７９】
・すると、図２８の２８０８のように、基地局＃Ｘは、ネットワークから、図２２の端末１０５０に送信するための情報を入手する。
【０３８０】
・そして、図２８の２８０９のように、基地局＃Ｘは、入手した情報を図２２の端末１０５０に、電波を用いて、送信し、図２２の端末１０５０は情報を得る。
【０３８１】
図２２の端末１０５０は、例えば、必要なとき、基地局＃Ｘを介して、ネットワークから必要な情報を取得する。
【０３８２】
以上のように、第５の機器から送信されたＳＳＩＤの情報、暗号鍵の情報をもとに、端末は、基地局（または、ＡＰ）と接続し、情報を取得することで、安全性の保証された基地局（または、ＡＰ）を介して情報を安全に入手することができるという効果を得ることができる。なぜなら、可視光の変調信号から情報を得た場合、可視光であるが故に情報元が安全かどうかの判断をユーザーが行いやすいからである。
【０３８３】
例えば、ＳＳＩＤを無線ＬＡＮが送信した電波の変調信号から取得した場合、ユーザーは電波を送信した機器の判別が難しい。このため、情報の安全性の確保という点では、可視光通信でＳＳＩＤを取得するほうが適している。
【０３８４】
なお、本実施の形態では、第５の機器が、暗号鍵の情報を送信する場合を説明しているが、例えば、基地局（または、ＡＰ）が暗号鍵を用いた暗号化された通信を行っていない場合、第５の機器は、暗号鍵の情報を送信せず、ＳＳＩＤに関する情報のみを送信し、暗号鍵に関する構成を削除するだけで、同様に実施することができる。
【０３８５】
また、第５の機器の構成は図２２に示す構成に限ったものではなく、また、端末の構成は、図２２に示す構成に限ったものではなく、基地局＃１、＃２、＃３の接続先、構成方法についても図２２に限ったものではない。
【０３８６】
そして、本実施の形態のように実施した場合、あるエリアに端末が複数存在していた場合、基地局にアクセス困難な端末の存在を少なくすることができるという効果を得ることができる。
【０３８７】
なお、図２７において、○２７０１−１、２７０１−２、２７０１−３、２７０１−４、２７０１−５、２７０１−６、２７０１−７、２７０１−８、２７０１−８、２７０１−９、２７０１−１０に配置した第５の機器が送信する変調信号のフレーム構成が、すべて図２６というように同じであってもよいし、第５の機器が送信する変調信号がそれぞれ異なるフレーム構成であってもよいし、同一のフレーム構成の変調信号を送信する第５の機器が複数存在していてもよい。
【０３８８】
また、本実施の形態では、端末は、無線ＬＡＮの基地局またはアクセスポイントと無線を用いて接続したが、端末と接続する装置は、無線を用いて接続可能な装置であれば、無線ＬＡＮの基地局またはアクセスポイントに限らず、どのような装置であってもよい。例えば、その装置は、携帯電話（mobile phone）等の基地局、または、中継局であってもよい。また、本実施の形態では、変調信号にＳＳＩＤの情報が含まれている例を説明したが、ＳＳＩＤは一例であって、これに限定されない。つまり、変調信号に含まれる情報は、端末が接続する安全な基地局を識別し得る情報であれば、ＳＳＩＤに限らず、どのような情報であってもよい。また、端末も、図２２の端末１０５０の機能を有する機器であれば、どのような機器であってもよく、例えば車両自身、または、車両が搭載した機器が送受信機能を有していてもよい。
【０３８９】
［実施の形態７のまとめ］
以上のように、本実施の形態における送信装置は、例えば上述の機器１０００であって、光源１０４と、入力信号に基づいて変調信号を生成し、その変調信号に応じて光源１０４の輝度を変化させることによって、光源１０４からその変調信号を可視光として送信する送信部１０２とを備える。そして、その変調信号は、無線ＬＡＮ（Local Area Network）のそれぞれ互いに異なる複数のアクセスポイントのＳＳＩＤ（service set identifier）に関する情報を含む。
【０３９０】
ここで、その変調信号は、上記複数のアクセスポイントのそれぞれに対応する、１以上のフレームからなるフレーム群を含み、そのフレーム群に含まれる１以上のフレームのそれぞれは、そのフレーム群に対応する同一のアクセスポイントのＳＳＩＤに関する情報を含んでもよい。
【０３９１】
また、そのフレーム群の送信にかかる時間は、変調信号を受信する受信装置による動画または静止画の１フレーム分の撮像にかかる時間よりも長くてもよい。
【０３９２】
あるいは、その変調信号は、上記複数のアクセスポイントのそれぞれに対応するフレームを含み、フレームは、そのフレームに対応する同一のアクセスポイントのＳＳＩＤに関する情報を１つ以上含んでもよい。そして、そのフレームの送信にかかる時間は、変調信号を受信する受信装置による動画または静止画の１フレーム分の撮像にかかる時間よりも長くてもよい。
【０３９３】
また、送信部１０２は、上記複数のアクセスポイントのそれぞれに対応するフレーム群を、時間軸方向または周波数軸方向においてランダムな順序で送信してもよい。
【０３９４】
あるいは、送信部１０２は、上記複数のアクセスポイントのそれぞれに対応するフレーム群を、時間軸方向または周波数軸方向において規則的な順序で送信してもよい。
【０３９５】
一方、本実施の形態における受信装置は、例えば、上記送信装置から送信される変調信号を受信する端末１０５０である。具体的には、この受信装置は、送信装置から可視光として送信される変調信号を受光する受光部１５１と、その変調信号に基づくデータを解析することによって解析情報を出力するデータ解析部１５５と、その解析情報に基づいて、無線ＬＡＮ（Local Area Network）のアクセスポイントに電波を用いて接続する無線部とを備える。例えば、無線部は無線装置４５３である。ここで、その変調信号は、無線ＬＡＮのそれぞれ互いに異なる複数のアクセスポイントのＳＳＩＤ（service set identifier）に関する情報を含む。データ解析部１５５は、その変調信号に含まれる複数のアクセスポイントのＳＳＩＤに関する情報から、何れか１つのＳＳＩＤに関する情報を選択し、選択されたＳＳＩＤに関する情報を上述の解析情報として出力する。そして、無線部は、その複数のアクセスポイントのうち、データ解析部１５５から出力されたＳＳＩＤに関する情報に対応するアクセスポイントに、電波を用いて接続する。
【０３９６】
ここで、その変調信号は、上記複数のアクセスポイントのそれぞれに対応する、１以上のフレームからなるフレーム群を含み、そのフレーム群に含まれる１以上のフレームのそれぞれは、そのフレーム群に対応する同一のアクセスポイントのＳＳＩＤに関する情報を含んでもよい。
【０３９７】
また、受光部１５１によるフレーム群の受光にかかる時間は、受光部１５１による動画または静止画の１フレーム分の撮像にかかる時間よりも長くてもよい。
【０３９８】
あるいは、その変調信号は、上記複数のアクセスポイントのそれぞれに対応するフレームを含み、フレームは、そのフレームに対応する同一のアクセスポイントのＳＳＩＤに関する情報を１つ以上含んでもよい。そして、受光部１５１によるフレームの受光にかかる時間は、受光部１５１による動画または静止画の１フレーム分の撮像にかかる時間よりも長くてもよい。
【０３９９】
また、受光部１５１は、上記複数のアクセスポイントのそれぞれに対応するフレーム群を、時間軸方向または周波数軸方向においてランダムな順序で受光してもよい。
【０４００】
あるいは、受光部１５１は、上記複数のアクセスポイントのそれぞれに対応するフレーム群を、時間軸方向または周波数軸方向において規則的な順序で受光してもよい。
【０４０１】
また、本実施の形態における通信システムは、送信装置と、無線ＬＡＮ（Local Area Network）のそれぞれ互いに異なる複数のアクセスポイントとを備える。送信装置は、例えば、機器１０００であり、複数のアクセスポイントは、例えば、４７０−１の基地局＃１と、４７０−２の基地局＃２と、４７０−３の基地局＃３とからなる。送信装置は、光源１０４と、入力信号に基づいて変調信号を生成し、その変調信号に応じて光源１０４の輝度を変化させることによって、光源１０４から変調信号を可視光として送信する送信部１０２とを備える。そして、その変調信号は、上記複数のアクセスポイントのＳＳＩＤ（service set identifier）に関する情報を含み、上記複数のアクセスポイントのうちの少なくとも１つは、その変調信号を受信した受信装置に電波を用いて接続し、その受信装置に情報を送信する。
【０４０２】
また、本実施の形態における送信方法では、入力信号に基づいて変調信号を生成し、その変調信号に応じて光源１０４の輝度を変化させることによって、光源１０４からその変調信号を可視光として送信する。そして、その変調信号は、無線ＬＡＮ（Local Area Network）のそれぞれ互いに異なる複数のアクセスポイントのＳＳＩＤ（service set identifier）に関する情報を含む。
【０４０３】
また、本実施の形態における受信方法では、送信装置から可視光として送信される変調信号を受光し、その変調信号に基づくデータを解析することによって解析情報を出力し、その解析情報に基づいて、無線ＬＡＮ（Local Area Network）のアクセスポイントに電波を用いて接続する。ここで、その変調信号は、無線ＬＡＮのそれぞれ互いに異なる複数のアクセスポイントのＳＳＩＤ（service set identifier）に関する情報を含む。そして、上記解析情報の出力では、その変調信号に含まれる複数のアクセスポイントのＳＳＩＤに関する情報から、何れか１つのＳＳＩＤに関する情報を選択し、選択された前記ＳＳＩＤに関する情報を上記解析情報として出力する。また、無線ＬＡＮのアクセスポイントへの接続では、上記複数のアクセスポイントのうち、解析によって出力されたＳＳＩＤに関する情報に対応するアクセスポイントに、電波を用いて接続する。
【０４０４】
また、本実施の形態における通信方法では、入力信号に基づいて変調信号を生成し、その変調信号に応じて光源１０４の輝度を変化させることによって、光源１０４からその変調信号を可視光として送信する。ここで、その変調信号は、無線ＬＡＮ（Local Area Network）のそれぞれ互いに異なる複数のアクセスポイントのＳＳＩＤ（service set identifier）に関する情報を含む。そして、上記複数のアクセスポイントのうちの少なくとも１つは、その変調信号を受信した受信装置に電波を用いて接続し、その受信装置に情報を送信する。
【０４０５】
（上記各実施の形態の補足１）
なお、ＦＰＧＡ（Field Programmable Gate Array）およびＣＰＵ（Central Processing Unit）の少なくとも一方が、本開示において説明した通信方法を実現するために必要なソフトウェアの全部あるいは一部を無線通信または有線通信によりダウンロードできるような構成であってもよい。さらに、更新のためのソフトウェアの全部あるいは一部を無線通信または有線通信によりダウンロードできるような構成であってもよい。そして、ダウンロードしたソフトウェアを記憶部に格納し、格納されたソフトウェアに基づいてＦＰＧＡおよびＣＰＵ少なくとも一方を動作させることにより、本開示において説明したデジタル信号処理を実行するようにしてもよい。
【０４０６】
このとき、ＦＰＧＡおよびＣＰＵの少なくとも一方を具備する機器は、通信モデムと無線または有線で接続し、この機器と通信モデムにより、本開示において説明した通信方法を実現してもよい。
【０４０７】
例えば、本明細書で記載した基地局、ＡＰ、端末などの通信装置が、ＦＰＧＡ、および、ＣＰＵのうち、少なくとも一方を具備しており、ＦＰＧＡ及びＣＰＵの少なくとも一方を動作させるためのソフトウェアを外部から入手するためのインターフェースを通信装置が具備していてもよい。さらに、通信装置が外部から入手したソフトウェアを格納するための記憶部を具備し、格納されたソフトウェアに基づいて、ＦＰＧＡ、ＣＰＵを動作させることで、本開示において説明した信号処理を実現するようにしてもよい。
【０４０８】
本明細書で説明した送信装置を第１の「車、または、乗り物」が具備し、本明細書で説明した受信装置を第２の「車、または、乗り物」が具備し、データの送受信を実施してもよい。
【０４０９】
本明細書で説明した「送信装置、または、送信装置の機能の一部」を、インターフェースを介して第１の「車、または、乗り物」に接続し、本明細書で説明した「受信装置、または、受信装置の一部」を、インターフェースを介して第２の「車、または、乗り物」に接続し、送受信によるデータの伝送を実施してもよい。
【０４１０】
また、本明細書で説明した送信装置を第１の「車、または、乗り物」が具備し、この送信装置と本明細書で説明した受信装置とで、データの送受信を実施してもよい。
【０４１１】
本明細書で説明した受信装置を第２の「車、または、乗り物」が具備し、この受信装置と本明細書で説明した送信装置とで、データの送受信を実施してもよい。
【０４１２】
さらに、本明細書で説明した「送信装置、または、送信装置の機能の一部」を、インターフェースを介して第１の「車、または、乗り物」に接続し、この一連の送信装置と本明細書で説明した受信装置とで、データの送受信を実施してもよい。
【０４１３】
本明細書で説明した「受信装置、または、受信装置の一部」を、インターフェースを介して第２の「車、または、乗り物」に接続し、本明細書で説明した送信装置とこの一連の受信装置とで、データの送受信を実施してもよい。
【０４１４】
「「車、または、乗り物」が本明細書で説明した送信装置、または、送信装置の一部を具備している」、または、「「車、または、乗り物」が「本明細書で説明した送信装置」、または、「本明細書で説明した送信装置の一部の機能」と、インターフェースを介して接続している場合」、本明細書で説明した送信装置が具備している光源として、「車、または、乗り物」が具備している光源を使用してもよい。
【０４１５】
例えば、図２９のように車Ｂ１００は、光源Ｂ１０１＿１、Ｂ１０１＿２、Ｂ１０１＿３、Ｂ１０１＿４を具備しており、これらの光源の１つ以上を本明細書で説明した送信装置が光変調信号を送信するための光源としてもよい。
【０４１６】
また、車Ｂ１００が搭載している複数の光源のうち、「どの光源を、本明細書で説明した送信装置が光変調信号を送信するための光源として用いるか」、を選択する機能を送信装置、または、送信装置と接続した装置が具備していてもよい。また、光源の明るさ、光源の照射角度、光源の位置をあわせて設定できてもよい。
【０４１７】
「「車、または、乗り物」が本明細書で説明した受信装置、または、受信装置の一部を具備している」、または、「「車、または、乗り物」が「本明細書で説明した受信装置」、または、「本明細書で説明した受信装置の一部の機能」と、インターフェースを介して接続している場合」、本明細書で説明した受信装置が具備している受光部として、「車、または、乗り物」が具備している受光部（例えば、イメージセンサー、フォトダイオードなど）を使用してもよい。
【０４１８】
例えば、図３０のように車Ｂ１００は、受光部Ｂ２０１＿１、Ｂ２０１＿３、Ｂ２０１＿４、Ｂ２０１＿５、Ｂ２０１＿６を具備しており、これらの受光部の１つ以上を本明細書で説明した受信装置が光変調信号を受信するための受光部としてもよい。
【０４１９】
また、車Ｂ１００が搭載している複数の受光部のうち、「どの受光部を、本明細書で説明した受信装置が光変調信号を受信するための受光部として用いるか」、を選択する機能を受信装置、または、受信装置と接続した装置が具備していてもよい。また、受光部の角度、受光部の位置をあわせて設定できてもよい。
【０４２０】
さらに、本明細書で説明した受信装置が、データを受信することができていることを、車が搭載しているフロントパネル、乗り物が搭載しているコクピットに表示してもよい。また、本明細書で説明した受信装置が、データを受信することができていることを、車などのハンドル自身、または、ハンドルが具備するバイブレータを振動させることで、ユーザーに知らせてもよい。
【０４２１】
また、本実施の形態で説明した受信装置を具備する車と端末がインターフェースを介して接続されており、受信装置で得られたデータを端末が具備する記憶部に記憶させてもよい。また、車も記憶部を具備しており、受信データを車が記憶してもよい。また、端末が具備する記憶部と車が具備する記憶部の両者に受信データを記憶させてもよい。
【０４２２】
本明細書において、受信装置に関連する処理に関するアプリケーションをサーバが提供し、端末は、このアプリケーションをインストールすることで、本明細書で記載した受信装置の機能を実現してもよい。なお、アプリケーションは、本明細書に記載した送信装置を具備する通信装置がネットワークを介しサーバと接続することによって、端末に提供されてもよいし、アプリケーションは、別の送信機能を有する通信装置がネットワークを介しサーバと接続することによって、端末に提供されてもよい。
【０４２３】
同様に、本明細書において、送信装置に関連する処理に関するアプリケーションをサーバが提供し、通信装置は、このアプリケーションをインストールすることで、本明細書で記載した送信装置の機能を実現してもよい。なお、アプリケーションは、他の通信装置がネットワークを介しサーバと接続することによって、この通信装置に提供されるという方法が考えられる。
【０４２４】
また、送信装置が具備している光源、受信装置が具備している受光部に関するソフトウェアをサーバが提供し、このソフトウェアを得ることで、送信装置が具備している光源が光変調信号の送信に対応でき、受信装置が具備している受光部が光変調信号の受信に対応できるようにしてもよい。
【０４２５】
さらに、本明細書における送信装置が、サーバの機能を有していてもよく、送信装置が具備するアプリケーションを、何らかの通信手段を用いて、通信装置に提供し、通信装置はダウンロードすることにより得たアプリケーションにより、本明細書における受信装置を実現することができてもよい。
【０４２６】
なお、本明細書において、「照明部」、「光源」と記載しているが、画像、動画、広告などを表示するディスプレイ、プロジェクタが光を発しており、その光に光変調信号が含まれているというような方法であってもよい。つまり、「照明部」、「光源」が光を発する機能以外の機能を有していてもよい。また、「照明部」、「光源」が、複数の「照明」、「光源」により構成されていてもよい。
【０４２７】
さらに、光変調信号を生成し、光を発する通信装置が用いる送信方法は、本明細書で記載された送信方法以外の方法であってもよい。また、光変調信号は、本明細書で説明した以外の情報が含まれていてもよい。
【０４２８】
また、ＬＥＤなどの照明・光源自身が、本明細書で説明した送信装置の機能を有していてもよい。
【０４２９】
さらに、送信光変調信号を生成する装置は、照明または光源を具備しておらず、送信光変調信号を生成する装置はインターフェースを介して、照明または光源と接続されてもよい。
【０４３０】
本明細書、本実施の形態で説明した送信装置と受信装置の通信方法は、図３１で示す通信方法であってもよい。以下では、図３１についての説明を行う。
【０４３１】
シンボルマッピング部は、送信データを入力し、変調方式に基づいたマッピングを行う、シンボル系列（ｃｉ）を出力する。
【０４３２】
等化前処理部は、シンボル系列を入力とし、受信側での等化処理を軽減するために、シンボル系列に対し、等化前処理を行い、等化前処理後のシンボル系列を出力する。
【０４３３】
エルミート対称性処理部は、等化前処理後のシンボル系列を入力とし、エルミート対称性が確保できるように、等化前処理後のシンボル系列に対しサブキャリア割り当てを行い、パラレル信号を出力する。
【０４３４】
逆（高速）フーリエ変換部は、パラレル信号を入力とし、パラレル信号に対し、逆（高速）フーリエ変換を施し、逆（高速）フーリエ変換後の信号を出力する。
【０４３５】
パラレルシリアル、および、サイクリックプレフィックス付加部は、逆（高速）フーリエ変換後の信号を入力とし、パラレルシリアル変換、および、サイクリックプレフィックスを付加し、信号処理後の信号として出力する。
【０４３６】
デジタルアナログ変換部は、信号処理後の信号を入力とし、デジタルアナログ変換を行い、アナログ信号を出力し、アナログ信号は、１つ以上の例えばＬＥＤから、光として出力される。
【０４３７】
なお、等化前処理部、エルミート対称性処理部は、なくてもよい。つまり、等化前処理部、エルミート対称性処理部での信号処理は、行わない場合もあり得る。
【０４３８】
フォトダイオードは、光を入力とし、ＴＩＡ（Transimpedance Amplifier）により、受信信号を得る。
【０４３９】
アナログデジタル変換部は、受信信号に対し、アナログデジタル変換を行い、デジタル信号を出力する。
【０４４０】
サイクリックプレフィックス除去、および、シリアルパラレル変換部は、デジタル信号を入力とし、サイクリックプレフィックス除去を行い、その後、シリアルパラレル変換を行い、パラレル信号を入力とする。
【０４４１】
（高速）フーリエ変換部は、パラレル信号を入力とし、（高速）フーリエ変換を行い、（高速）フーリエ変換後の信号を出力する。
【０４４２】
検波部は、フーリエ変換後の信号を入力とし、検波を行い、受信シンボル系列を出力する。
【０４４３】
シンボルデマッパーは、受信シンボル系列を入力とし、デマッピングを行い、受信データ系列を得る。
【０４４４】
以上のようにして、光変調信号を送信する送信装置、光変調信号を受信する受信装置を、本明細書における各実施の形態に適用しても、各実施の形態は同様に実施することができる。
【０４４５】
また、本実施の形態における送信装置と受信装置の通信方法は、以下で説明する通信方法であってもよい。
【０４４６】
＜ラインスキャンサンプリング＞
スマートフォンまたはデジタルカメラなどには、ＣＭＯＳ（Complementary Metal Oxide Semiconductor）センサなどのイメージセンサーが搭載されている。ＣＭＯＳセンサで撮像された画像は、全体が厳密に同じ時刻の風景を写しているわけではなく、例えば、行ごとにシャッタ動作を行うローリングシャッタ方式により、１ライン毎にセンサが受光した光の量を読み出す。そのため、読み出しに要する時間を見計らって、１ライン毎に時間差をおいて受光の開始、終了の制御が行われる。つまり、ＣＭＯＳセンサで撮像された画像は、露光期間に少しずつタイムラグのある多数のラインを重ねた形になる。
【０４４７】
このＣＭＯＳセンサの性質に着目した方式であり、可視光信号受信の高速化を実現する。
【０４４８】
すなわち、可視光通信方式の第１の例では、ライン毎に露光時間が微妙に少しずつ異なることを利用することで、図３２に示すように、１枚の画像（イメージセンサーの撮像画像）から、複数の時点における光源の輝度、色をライン毎に測定することができ、フレームレートよりも高速に変調された信号を捉えることができる。
【０４４９】
このサンプリング手法を「ラインスキャンサンプリング」と呼び、同じタイミングで露光される１列の画素を「露光ライン」と呼ぶ。
【０４５０】
なお、ＣＭＯＳセンサによるローリングシャッタ方式で「ラインスキャンサンプリング」を実現することができるが、ＣＭＯＳセンサ以外のセンサ、例えば、ＣＣＤ（Charge-Coupled Device）センサ、有機（ＣＭＯＳ）センサなどにより、ローリングシャッタ方式を実現しても、同様に「ラインスキャンサンプリング」を実施することができる。
【０４５１】
ただし、カメラ機能（動画または静止画の撮影機能）における撮像時の撮像設定では、高速で点滅する光源を撮影しても、点滅が露光ラインに沿った縞模様として現れることはない。なぜなら、この設定では、露光時間が光源の点滅周期よりも非常に十分に長いため、図３３に示すように、光源の点滅（発光パターン）による輝度の変化が均一平均化されて露光ライン間の画素値の変化は極めが小さくなり、ほぼ一様な画像になるからである。
【０４５２】
これに対して、図３４に示すように、露光時間を光源の点滅周期以下に設定することで、光源の点滅の状態（発光パターン）を露光ラインの輝度変化として観測することができる。
【０４５３】
例えば、露光ラインは、イメージセンサーの長辺方向に平行になるように設計される。この場合、一例として、フレームレートを３０ｆｐｓ（frames per second）とすると、１９２０×１０８０のサイズの解像度では、毎秒３２４００以上のサンプルが得られ、３８４０×２１６０のサイズの解像度では、毎秒６４８００以上のサンプルが得られる。
【０４５４】
＜ラインスキャンサンプリングの応用例＞
なお、上記説明では、一ライン毎に受光した光の量を示す信号を読み出すラインスキャンサンプリングについて説明したが、ＣＭＯＳなどのイメージセンサーを用いた光信号のサンプリング方式はこれに限定されない。光信号の受信に用いるサンプリング方式としては、通常の動画の撮影に用いるフレームレートよりも高いサンプリングレートでサンプリングされた信号を取得できる様々な方式が適用可能である。例えば、画素ごとにシャッタ機能を持たせるグローバルシャッタ方式により、画素ごとに露光期間を制御して信号を読み出す方式や、ライン状ではない形状に配置された複数の画素のグループ単位で露光期間を制御して信号が読み出される方式を用いてもよい。また、通常の動画の撮影に用いるフレームレートにおける１フレームに相当する期間内に、同一の画素から複数回信号が読み出される方式を用いてもよい。
【０４５５】
＜フレームによるサンプリング＞
さらに、非画素ごとにシャッタ機能を持たせるフレームレート方式により、フレームレートを高速化した方式においても光信号をサンプリングすることは可能である。
【０４５６】
本明細書は、例えば、説明を行った「ラインスキャンサンプリング」、「ラインスキャンサンプリングの応用例」、「フレームによるサンプリング」のいずれの方式においても実現することは可能である。
【０４５７】
＜光源と変調方式＞
可視光通信では、例えば、ＬＥＤ（Light Emitting Diode）を送信機として利用することができる。ＬＥＤは、照明またはディスプレイのバックライト光源として普及しつつあり、高速に点滅させることが可能である。
【０４５８】
ただし、可視光通信の送信機として利用する光源は、可視光通信のために自由に点滅させられるわけではない。可視光通信による輝度の変化が人間に認識できてしまうと、照明などの本来の光源の機能を損ねてしまう。そのため、送信信号は、人間の目にちらつきが感じられないよう、かつ、所望の明るさで照らすようにすることが求められる。
【０４５９】
この要求に応える変調方式として、例えば、４ＰＰＭ（4-Pulse Position Modulation）と呼ばれる変調方式がある。４ＰＰＭは、図３５Ａに示すように、光源の明暗の４回の組み合わせによって２ビットを表現する方式である。また、４ＰＰＭは、図３５Ａに示すように、４回のうち３回が明るい状態、１回が暗い状態となるため、信号の内容に依らず、明るさの平均（平均輝度）は３／４＝７５％となる。
【０４６０】
比較のため、同様の方式として、図３５Ｂに示すマンチェスタ符号方式がある。マンチェスタ符号方式は、２状態で１ビットを表現する方式であり、変調効率は４ＰＰＭと同じ５０％であるが、２回のうち１回が明るい状態、１回が暗い状態となるため、平均輝度は１／２＝５０％となる。すなわち、可視光通信の変調方式としては、４ＰＰＭの方がマンチェスタ符号方式よりも適しているといえる。ただし、可視光通信による輝度の変化が人間に認識される場合であっても通信性能が低下するわけではないため、用途によっては人間に認識される輝度の変化が生じる方式を用いても問題は無い。したがって、送信機（光源）は、例えば、ＡＳＫ（Amplitude Shift Keying）方式、ＰＳＫ（Phase Shift Keying）方式、ＰＡＭ（Pulse Amplitude Modulation）などの変調方式を用いて、変調信号を生成し、光源を点灯、照射させてもよい。
【０４６１】
なお、本明細書で説明した送信装置と受信装置の通信方法は、上述の例に限ったものではなく、光・可視光・赤外線・紫外線などどのような周波数を用いた無線通信方式であっても同様に実施することは可能である。また、上述の説明では、イメージセンサーにより、光変調信号を受信する場合を例に説明しているが、イメージセンサーのかわりにフォトダイオードを使用し、光変調信号を受信してもよく、また、イメージセンサー、フォトダイオード以外のものを使用して、光変調信号を受信してもよい。
【０４６２】
本明細書において、「場所、または、位置情報に関するシンボル」、「時刻情報に関するシンボル」、「ＳＳＩＤに関するシンボル」、「アクセス先に関するシンボル」、「暗号鍵に関するシンボル」などを「シンボル」と名づけて説明をしている場合があるが、「シンボル」と呼ばずに「データ」または「情報」または「フィールド」または「ビット」または「領域」と呼んでも、各実施の形態を同様に実施することは可能である。また、「シンボル」、「データ」、「情報」、「フィールド」、「ビット」、「領域」以外の呼び方をしてもよい。また、「場所、または、位置情報に関するシンボル」、「時刻情報に関するシンボル」、「ＳＳＩＤに関するシンボル」、「アクセス先に関するシンボル」、「暗号鍵に関するシンボル」などどのようなシンボル構成で送信装置は送信してもよく、「場所、または、位置情報に関するデータ」、「時刻情報に関するデータ」、「ＳＳＩＤに関するデータ」、「アクセス先に関するデータ」、「暗号鍵に関するデータ」などを通信相手に伝送することが重要となる。
【０４６３】
本明細書において、「光源」、「照明部」などを具備する送信装置において、「光源」、「照明部」は複数の「光源」、複数の「照明」で構成されていてもよい。
【０４６４】
（上記各実施の形態の補足２）
当然であるが、本明細書において説明した実施の形態、その他の内容を複数組み合わせて、実施してもよい。
【０４６５】
また、各実施の形態については、あくまでも例であり、例えば、「変調方式、誤り訂正符号化方式（使用する誤り訂正符号、符号長、符号化率等）、制御情報など」を例示していても、別の「変調方式、誤り訂正符号化方式（使用する誤り訂正符号、符号長、符号化率等）、制御情報など」を適用した場合でも同様の構成で実施することが可能である。
【０４６６】
変調方式については、本明細書で記載している変調方式以外の変調方式を使用しても、本明細書において説明した実施の形態、その他の内容を実施することが可能である。例えば、ＡＰＳＫ（Amplitude Phase Shift Keying）（例えば、１６ＡＰＳＫ，  ６４ＡＰＳＫ，  １２８ＡＰＳＫ，  ２５６ＡＰＳＫ，  １０２４ＡＰＳＫ，  ４０９６ＡＰＳＫなど）、ＰＡＭ（Pulse Amplitude Modulation）（例えば、４ＰＡＭ，  ８ＰＡＭ，  １６ＰＡＭ，  ６４ＰＡＭ，  １２８ＰＡＭ，  ２５６ＰＡＭ，  １０２４ＰＡＭ，  ４０９６ＰＡＭなど）、ＰＳＫ（Phase Shift Keying）（例えば、ＢＰＳＫ，  ＱＰＳＫ，  ８ＰＳＫ，  １６ＰＳＫ，  ６４ＰＳＫ，  １２８ＰＳＫ，  ２５６ＰＳＫ，  １０２４ＰＳＫ，  ４０９６ＰＳＫなど）、ＱＡＭ（Quadrature Amplitude Modulation）（例えば、４ＱＡＭ，  ８ＱＡＭ，  １６ＱＡＭ，  ６４ＱＡＭ，  １２８ＱＡＭ，  ２５６ＱＡＭ，  １０２４ＱＡＭ，  ４０９６ＱＡＭなど）などを適用してもよいし、各変調方式において、均一マッピング、非均一マッピングとしてもよい。また、Ｉ−Ｑ平面における２個、４個、８個、１６個、６４個、１２８個、２５６個、１０２４個等の信号点の配置方法（２個、４個、８個、１６個、６４個、１２８個、２５６個、１０２４個等の信号点をもつ変調方式）は、本明細書で示した変調方式の信号点配置方法に限ったものではない。
【０４６７】
本明細書で説明した無線装置を具備しているのは、例えば、放送局、基地局、アクセスポイント、端末、携帯電話（mobile phone）等の通信・放送機器、テレビ、ラジオ、端末、パーソナルコンピュータ、携帯電話、アクセスポイント、基地局等の通信機器であることが考えられる。また、本明細書で説明した無線装置は、通信機能を有している機器であって、その機器が、テレビ、ラジオ、パーソナルコンピュータ、携帯電話等のアプリケーションを実行するための装置に何らかのインターフェースを介して接続できるような形態であることも考えられる。
【０４６８】
また、本明細書で説明した受信部を具備しているのは、例えば、放送局、基地局、アクセスポイント、端末、携帯電話（mobile phone）等の通信・放送機器、テレビ、ラジオ、端末、パーソナルコンピュータ、携帯電話、アクセスポイント、基地局等の通信機器であることが考えられる。
【０４６９】
本実施の形態における電波による無線通信では、データシンボル以外のシンボル、例えば、パイロットシンボル（プリアンブル、ユニークワード、ポストアンブル、リファレンスシンボル等）、制御情報用のシンボルなどが、フレームにどのように配置されていてもよい。そして、ここでは、パイロットシンボル、制御情報用のシンボルと名付けているが、どのような名付け方を行ってもよく、機能自身が重要となっている。
【０４７０】
パイロットシンボルは、例えば、送受信機において、ＰＳＫ変調を用いて変調した既知のシンボル（または、受信機が同期をとることによって、受信機は、送信機が送信したシンボルを知ることができてもよい。）であればよく、受信機は、このシンボルを用いて、周波数同期、時間同期、（各変調信号の）チャネル推定（ＣＳＩ（Channel State Information）の推定）、信号の検出等を行うことになる。
【０４７１】
また、制御情報用のシンボルは、（アプリケーション等の）データ以外の通信を実現するための、通信相手に伝送する必要がある情報（例えば、通信に用いている変調方式・誤り訂正符号化方式・誤り訂正符号化方式の符号化率、上位レイヤーでの設定情報等）を伝送するためのシンボルである。
【０４７２】
なお、本発明は各実施の形態に限定されず、種々変更して実施することが可能である。例えば、各実施の形態では、通信装置として行う場合について説明しているが、これに限られるものではなく、この通信方法をソフトウェアとして行うことも可能である。
【０４７３】
なお、例えば、上記通信方法を実行するプログラムを予めＲＯＭ（Read Only Memory）に格納しておき、そのプログラムをＣＰＵ（Central Processing Unit）によって動作させるようにしても良い。
【０４７４】
また、上記通信方法を実行するプログラムをコンピュータで読み取り可能な記憶媒体に格納し、記憶媒体に格納されたプログラムをコンピュータのＲＡＭ（Random Access Memory）に記録して、コンピュータをそのプログラムにしたがって動作させるようにしても良い。
【０４７５】
そして、上記の各実施の形態などの各構成は、典型的には集積回路であるＬＳＩ（Large Scale Integration）として実現されてもよい。これらは、個別に１チップ化されてもよいし、各実施の形態の全ての構成または一部の構成を含むように１チップ化されてもよい。ここでは、ＬＳＩとしたが、集積度の違いにより、ＩＣ（Integrated Circuit）、システムＬＳＩ、スーパーＬＳＩ、ウルトラＬＳＩと呼称されることもある。また、集積回路化の手法はＬＳＩに限られるものではなく、専用回路または汎用プロセッサで実現しても良い。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用しても良い。さらに、半導体技術の進歩又は派生する別技術によりＬＳＩに置き換わる集積回路化の技術が登場すれば、当然、その技術を用いて機能ブロックの集積化を行っても良い。バイオ技術の適応等が可能性としてあり得る。
【０４７６】
なお、本明細書における、例えば、実施の形態４、実施の形態５、実施の形態６、実施の形態７などにおいて、端末が基地局に無線で接続するための暗号鍵について説明したが、暗号鍵は「無線接続のための暗号鍵」に限ったものではない。
【０４７７】
例えば、基地局は、ネットワークに接続されており、端末は、基地局を介して、このネットワークと通信を行うものとする。このとき、暗号鍵は、「端末が、このネットワークに接続するための暗号鍵」であってもよい。したがって、本明細書で説明した光変調信号に「暗号鍵」の情報が含まれており、これにより、本明細書で説明した各実施の形態を実施しても、同様に実施することができ、これにより、各実施の形態で説明した効果を同様に得ることができる。
【０４７８】
また、光変調信号に、「基地局と接続するための暗号鍵（例えば、ＳＳＩＤに対する暗号鍵）」、「ネットワークに接続するための暗号鍵」の少なくとも一つの暗号鍵を含んでいてもよい。
【産業上の利用可能性】
【０４７９】
本発明は、光の変調信号を送信および受信する通信システムに広く適用できる。
【符号の説明】
【０４８０】
１０２    送信部
１０４    光源
１５１    受光部
１５３    受信部
１５５    データ解析部
１５７    表示部
４５３    無線装置
４７０−１    基地局＃１
４７０−２    基地局＃２
４７０−３    基地局＃３
１０００    機器
１０５０    端末
【図１】
2018070366.tif 000003
【図２】
2018070366.tif 000004
【図３】
2018070366.tif 000005
【図４】
2018070366.tif 000006
【図５】
2018070366.tif 000007
【図６】
2018070366.tif 000008
【図７】
2018070366.tif 000009
【図８】
2018070366.tif 000010
【図９】
2018070366.tif 000011
【図１０】
2018070366.tif 000012
【図１１】
2018070366.tif 000013
【図１２】
2018070366.tif 000014
【図１３】
2018070366.tif 000015
【図１４】
2018070366.tif 000016
【図１５】
2018070366.tif 000017
【図１６】
2018070366.tif 000018
【図１７】
2018070366.tif 000019
【図１８】
2018070366.tif 000020
【図１９】
2018070366.tif 000021
【図２０】
2018070366.tif 000022
【図２１】
2018070366.tif 000023
【図２２】
2018070366.tif 000024
【図２３】
2018070366.tif 000025
【図２４】
2018070366.tif 000026
【図２５】
2018070366.tif 000027
【図２６】
2018070366.tif 000028
【図２７】
2018070366.tif 000029
【図２８】
2018070366.tif 000030
【図２９】
2018070366.tif 000031
【図３０】
2018070366.tif 000032
【図３１】
2018070366.tif 000033
【図３２】
2018070366.tif 000034
【図３３】
2018070366.tif 000035
【図３４】
2018070366.tif 000036
【図３５Ａ】
2018070366.tif 000037
【図３５Ｂ】
2018070366.tif 000038
【国際調査報告】
2018070366.tif 000039
2018070366.tif 000040
2018070366.tif 000041
2018070366.tif 000042